(57)【特許請求の範囲】
【請求項１】
前面開口部を有する食器洗浄機本体と、
上方に食器収納口を有し、前記食器洗浄機本体に収納され、前記前面開口部を前後方向にスライド可能に支持されている洗浄槽と、
前記洗浄槽に水を供給する給水機構と、
前記洗浄槽から水を排水する排水機構とを備え、
給水機構は、
給水管に接続された給水弁と、前記食器洗浄機本体に設けられ、該給水弁に接続されて連結するよう構成された本体側給水連結具と、前記洗浄槽に連通するように設けられ、連結するように構成された洗浄槽側給水連結具とで構成され、
排水機構は、
前記洗浄槽の底部と接続された排水ポンプと、前記洗浄槽に設けられ、前記排水ポンプに接続されて連結するように構成された洗浄槽側排水連結具と、前記食器洗浄機本体に設けられ、排水管と接続されて連結するよう構成された本体側排水連結具とで構成され、
前記洗浄槽のスライド移動に伴って、前記本体側給水連結具と前記洗浄槽側給水連結具とが連結自在であると共に前記洗浄槽側排水連結具と前記本体側排水連結具とが連結自在であり、
前記本体側給水連結具と前記洗浄槽側給水連結具との連結部分に、該連結部分を止水する弾性材で形成された止水手段を設け、
前記洗浄槽側排水連結具と前記本体側排水連結具との連結部分に、該連結部分を止水する弾性材で形成された止水手段を設けたことを特徴とする食器洗浄機。
【請求項２】
前記洗浄槽側排水連結具及び前記本体側排水連結具は、前記洗浄槽内に貯えられる洗浄水の水位よりも上方に配置されていることを特徴とする請求項１記載の食器洗浄機。
【請求項３】
前記給水機構に設けられる止水手段は、前記本体側給水連結具又は前記洗浄槽側給水連結具に装着される装着体とリップ部とラッパ状又は蛇腹状のパッキン本体とを有してなり、
前記排水機構に設けられる止水手段は、前記洗浄槽側排水連結具又は本体側排水連結具に装着される装着体とリップ部とラッパ状又は蛇腹状のパッキン本体とを有してなることを特徴とする請求項１又は２記載の食器洗浄機。
【請求項４】
前記止水手段の装着体に、第２の止水部であるシール体を設けたことを特徴とする請求項３記載の食器洗浄機。
【請求項５】
前記洗浄槽に送風機の風を送風するよう設けられた送風路の一部に、前記給水機構を構成する洗浄槽側給水連結具を形成したことを特徴とする請求項１〜４のいずれかに記載の食器洗浄機。
【請求項６】
前記洗浄槽側給水連結具が形成される位置は洗浄水の水位よりも上方であることを特徴とする請求項５記載の食器洗浄機。
【請求項７】
前記給水機構を構成する本体側給水連結具の通水口の向きを下方に向けて形成したことを特徴とする請求項５又は６記載の食器洗浄機。
【請求項８】
前記食器洗浄機本体に対して設けられる前記本体側給水連結具と、前記洗浄槽に対して設けられる洗浄槽側給水連結具とのいずれかを可動可能に設け、
前記洗浄槽に対して設けられる洗浄槽側排水連結具と、前記食器洗浄機本体に対して設けられる前記本体側排水連結具とのいずれかを可動可能に設けたことを特徴とする請求項１又は２記載の食器洗浄機。
【請求項９】
前記食器洗浄機本体に対して前記本体側給水連結具及び前記本体側排水連結具を固着し、前記洗浄槽に対して前記洗浄槽側給水連結具及び洗浄槽側排水連結具を可動可能に装着したことを特徴とする請求項８記載の食器洗浄機。
【請求項１０】
前記止水手段は、弾性材で形成され、リップ部を有するラッパ状の止水パッキンであることを特徴とする請求項８又は９記載の食器洗浄機。
【請求項１１】
前記本体側排水連結具と前記排水管との間に排水トラップを設けたことを特徴とする請求項１〜１０のいずれかに記載の食器洗浄機。
【請求項１２】
前記排水トラップの一部に、前記排水機構を構成する本体側排水連結具を形成したことを特徴とする請求項１１記載の食器洗浄機。
【請求項１３】
前記本体側給水連結具と前記洗浄槽側給水連結具との連結部分のいずれか一方を他方をガイドするため該他方より口径が大きく、且つラッパ状に形成し、
前記洗浄槽排水連結具と前記本体側排水連結具との連結部分のいずれか一方を他方をガイドするため該他方より口径が大きく、且つラッパ状に形成したことを特徴とする請求項８〜１２のいずれかに記載の食器洗浄機。
【請求項１４】
前記本体側給水連結具と前記洗浄槽側給水連結具とに、連結時に互いの位置を合せるためのガイド手段を設け、前記洗浄槽側排水連結具と前記本体側排水連結具とに、連結時に互いの位置を合せるためのガイド手段を設けたことを特徴とする請求項８〜１３記載の食器洗浄機。
【請求項１５】
前記止水手段による止水有効範囲に入る前に、前記ガイド手段による互いの位置の合せが完了していることを特徴とする請求項１４記載の食器洗浄機。
【請求項１６】
前記洗浄槽が収納されていることを検出するドア開閉検知装置と、
該ドア開閉検知装置からの洗浄槽収納状態の検出信号に基づいて前記給水弁及び前記排水ポンプの運転を制御する制御装置とを備え、
前記制御装置は、前記ドア開閉検知装置からの非収納状態の検出信号に基づいて、前記洗浄槽が前方側にスライド移動される直前の状態にあると判断すると、前記給水弁及び前記排水ポンプの運転を停止させることを特徴とする請求項１〜１５のいずれかに記載の食器洗浄機。
【請求項１７】
前記止水手段による止水有効範囲を、前記ドア開閉検知装置が検出する洗浄槽収納状態の検知範囲より大きくしたことを特徴とする請求項１６に記載の食器洗浄機。
【請求項１８】
前記本体側給水連結具及び前記洗浄槽側給水連結具の連結する部分の通水口部に、連結解除時に該通水口部の通水口を止水する機能を有する止水弁を設け、前記洗浄槽側排水連結具及び前記本体側排水連結具の連結する部分の通水口部に、連結解除時に該通水口部の通水口を止水する機能を有する止水弁を設けたことを特徴とする請求項８〜１７のいずれかに記載の食器洗浄機。
【請求項１９】
前面開口部を有する食器洗浄機本体と、
上方に食器収納口を有し、前記食器洗浄機本体に収納され、前記前面開口部を前後方向にスライド可能に支持されている洗浄槽と、
外部からの信号を受けて、洗浄槽を前方側にスライド移動させる槽開装置と、
前記洗浄槽に水を供給する給水機構と、
前記洗浄槽から水を排水する排水機構とを備え、
給水機構は、
給水管に接続された給水弁と、前記食器洗浄機本体に設けられ、該給水弁に接続されて連結するよう構成された本体側給水連結具と、前記洗浄槽に連通するように設けられ、連結するように構成された洗浄槽側給水連結具とで構成され、
排水機構は、
前記洗浄槽の底部と接続された排水ポンプと、前記洗浄槽に設けられ、前記排水ポンプに接続されて連結するように構成された洗浄槽側排水連結具と、前記食器洗浄機本体に設けられ、排水管と接続されて連結するよう構成された本体側排水連結具とで構成され、
前記洗浄槽のスライド移動に伴って、前記本体側給水連結具と前記洗浄槽側給水連結具とが連結自在であると共に前記洗浄槽側排水連結具と前記本体側排水連結具とが連結自在であり、
前記本体側給水連結具と前記洗浄槽側給水連結具との連結部分に、該連結部分を止水する弾性材で形成された止水手段を設け、
前記洗浄槽側排水連結具と前記本体側排水連結具との連結部分に、該連結部分を止水する弾性材で形成された止水手段を設けたことを特徴とする食器洗浄機。
【請求項２０】
前記洗浄槽が収納されていることを検出するドア開閉検知装置と、
前記槽開装置を動作させるオープンボタンと、
ドア開閉検知装置からの信号に基づいて前記給水弁及び前記排水ポンプの運転を制御すると共にオープンボタンからの信号に基づいて前記槽開装置を動作させる制御装置とを備え、
前記制御装置は、前記オープンボタンの信号に基づいて給水弁及び排水ポンプの運転を停止させ、その後に、槽開装置を動作させて洗浄槽を前方側にスライド移動することを特徴とする請求項１９記載の食器洗浄機。
【請求項２１】
前記制御装置は、給水弁及び排水ポンプの運転を停止させ、その後に、前記排水ポンプの回転が完全に停止するのに十分な時間を待ってから前記槽開装置を動作させて洗浄槽を前方側にスライド移動することを特徴とする請求項２０記載の食器洗浄機。
【発明の詳細な説明】
【技術分野】
【０００１】
本発明は、洗浄槽内に収納された食器等の被洗浄物を洗浄する食器洗浄機に関し、特に洗浄槽を食器洗浄機本体の前方正面側に引き出す構成の食器洗浄機に関するものである。
【背景技術】
【０００２】
近年のシステムキッチン等に組み込まれるようなビルトインタイプの食器洗浄機は、流し台や調理台の下部、あるいはキッチンの壁面に収納されて洗浄槽が水平方向に引き出されるようになっている。
このような食器洗浄機では、洗浄槽内に給水するための給水ホースと、洗浄に使用された洗浄水を排水するための排水ホースとが、洗浄槽と洗浄機本体との間に屈曲自在に連結されることが一般的となっている。そして、給水ホース及び排水ホースは、洗浄槽が洗浄機本体内に収納されたときに、洗浄槽と洗浄機本体との間に形成されるスペースに収まるようになっている。
【０００３】
そのようなものとして、「食器洗浄機本体と、上方を開口して食器を収納し前記食器洗浄機本体から略水平方向に引き出し可能な洗浄槽と、前記食器洗浄機本体の背面に固定した給水弁と、前記洗浄槽に固定した排水ポンプと、前記給水弁に接続し前記洗浄槽内に給水する給水ホースと、前記洗浄槽内の洗浄液を排水する排水ホースとを備え、前記食器洗浄機本体または洗浄槽の背面にホースホルダーを回転支持し、前記給水ホースまたは排水ホースの内、少なくとも排水ホースを前記ホースホルダーにより保持し、前記洗浄槽の引き出し動作に応じてホースホルダーが回転し、排水ホースを牽引するよう構成した食器洗浄機」が開示されている（たとえば、特許文献１参照）。
【０００４】
【特許文献１】特許第３１２９３１１号公報
【発明の開示】
【発明が解決しようとする課題】
【０００５】
特許文献１に記載のような食器洗浄機では、食器洗浄機本体と洗浄槽が給水ホース及び排水ホースで連結されて両者を分離することができないため、例えば洗浄槽を本体から引き出したとしても、洗浄槽の後側の部位やその後側に設けられている送風機等の部品に手が届きにくいことにより、これら部位、部品のメンテナンスが困難であるという問題があった。
また、洗浄槽の引き出し操作及び押し込み操作に伴って、給水ホース及び排水ホースが屈曲を繰り返すことになる。これが、給水ホースや排水ホースが破れる等の破損の原因となり、給水ホースや排水ホースが破損すると、食器洗浄機が組み込まれているシステムキッチン等の内部に漏水してしまうという問題が発生していた。
さらに、給水ホース及び排水ホースを収納するための所定のスペースが必要となり、そのスペース確保に伴い、洗浄槽の小型化を余儀なくされたり、洗浄槽の所定スペースを確保するためには洗浄機本体の大型化が必要となり、流し台に収納できなくなったりする等の各種問題が発生していた。
【０００６】
本発明は、上記のような問題を解決するためになされたもので、洗浄槽及び洗浄槽に具備されている部品のメンテナンスが容易で、給水ホース及び排水ホースの破損という問題が生ぜず漏水のおそれもなく、食器洗浄機本体内のスペースを効果的に利用可能にした食器洗浄機を提供することを目的としている。
【課題を解決するための手段】
【０００７】
本発明に係る食器洗浄機は、前面開口部を有する食器洗浄機本体と、上方に食器収納口を有し、前記食器洗浄機本体に収納され、前記前面開口部を前後方向にスライド可能に支持されている洗浄槽と、前記洗浄槽に水を供給する給水機構と、前記洗浄槽から水を排水する排水機構とを備え、給水機構は、給水管に接続された給水弁と、前記食器洗浄機本体に設けられ、該給水弁に接続されて連結するよう構成された本体側給水連結具と、前記洗浄槽に連通するように設けられ、連結するように構成された洗浄槽側給水連結具とで構成され、排水機構は、前記洗浄槽の底部と接続された排水ポンプと、前記洗浄槽に設けられ、前記排水ポンプに接続されて連結するように構成された洗浄槽側排水連結具と、前記食器洗浄機本体に設けられ、排水管と接続されて連結するよう構成された本体側排水連結具とで構成され、前記洗浄槽のスライド移動に伴って、前記本体側給水連結具と前記洗浄槽側給水連結具とが連結自在であると共に前記洗浄槽側排水連結具と前記本体側排水連結具とが連結自在であり、前記本体側給水連結具と前記洗浄槽側給水連結具との連結部分に、該連結部分を止水する弾性材で形成された止水手段を設け、前記洗浄槽側排水連結具と前記本体側排水連結具との連結部分に、該連結部分を止水する弾性材で形成された止水手段を設けて構成されている。
【発明の効果】
【０００８】
本発明に係る食器洗浄機においては、食器洗浄機本体に設けられた本体側給水連結具と洗浄槽に設けられた洗浄槽側給水連結具とで給水機構が構成され、食器洗浄機本体に対し洗浄槽が前後方向にスライド移動するのに伴い、本体側給水連結具と洗浄槽側給水連結具とが連結、切離しを行って給水路の開閉が行われ、本体側給水連結具本体と洗浄槽側給水連結具本体との連結の際に両者の連結部分に連結部分を止水する弾性材で形成された止水手段を設けたことにより止水が行われると共に、洗浄槽に設けられた洗浄槽側排水連結具と、食器洗浄機本体に設けられた本体側排水連結具とで排水機構が構成され、食器洗浄機本体に対し洗浄槽が前後方向にスライド移動するのに伴い、本体側排水連結具と洗浄槽側排水連結具とが連結、切離しを行って排水路の開閉が行われ、本体側排水連結具本体と洗浄槽側排水連結具本体との連結の際に両者の連結部分に連結部分を止水する弾性材で形成された止水手段を設けたことにより、給水機構の本体側給水連結具と洗浄槽側給水連結具の連結時及び排水機構の本体側給水連結具と洗浄槽側給水連結具の連結時に止水が確実に行われることとなる。
また、給水機構の本体側給水連結具と洗浄槽側給水連結具とを切離し、排水機構の本体側排水連結具と洗浄槽側排水連結具とを切離すことができるので、洗浄槽及び洗浄槽に具備されている部品のメンテナンスが容易となり、従来のような給水ホース及び排水ホースの破損による漏水という問題が生ぜず、食器洗浄機本体内のスペースを効果的に利用可能にしている。
【発明を実施するための最良の形態】
【０００９】
実施の形態１．
以下、本発明の実施の形態１を図面に基づいて説明する。
図１は本発明の実施の形態１の食器洗浄機の構成を示す概略縦断面図、図２は同食器洗浄機の正面図、図３は同食器洗浄機の背面部分の断面図、図４は同食器洗浄機の設置状態の一例を表すシステムキッチンの斜視図、図５は同食器洗浄機の洗浄槽が引き出されている状態を示すシステムキッチンの斜視図である。
また、図６から図１８は同食器洗浄機の給水機構３３を中心に示し、図１９から図２９は同食器洗浄機の排水機構５２を中心に示し、図３０は同食器洗浄機の制御装置の電気的構成を示している。
【００１０】
本発明の実施の形態１に係る食器洗浄機の基本構成について説明する。
図１に示すように、食器洗浄機１は、前面に前面開口部２ａを有する箱状に形成された食器洗浄機本体２と、食器洗浄機本体２の内部に収納され、上方に食器収納口３ａを有する箱状に形成された洗浄槽３と、洗浄槽３の前面に一体的に取り付けられ、取っ手４や操作部５が設けられた前扉６と、後述する多くの機能部品とから構成されている。
また、図１に示すように、食器洗浄機１の内部には、食器洗浄機本体２に対し洗浄槽３を、前後方向にスライド移動可能に支持するためのスライド手段であるガイド７及びレール８と、食器洗浄機本体２内に収納された洗浄槽３と、前扉６が閉じらされていることを検出するためのドア開閉検知装置９と、食器等の被洗浄物９８を載置するための食器かご１０と、噴射される洗浄水や乾燥風が、洗浄槽３外に流出するのを防止するために、洗浄槽３の食器収納口３ａを閉塞するための開閉蓋１１と、ユーザーからの指示を受け付けたり、受け付けた情報や運転状況等を表示するための操作部５とを備えている。
【００１１】
さらに、食器洗浄機１の内部には、洗浄水となる水道水を、洗浄槽３内に供給するための給水手段である主な給水管３１、給水弁３２及び給水機構３３と、被洗浄物９８の汚れを洗い落とすために、洗浄水を噴射、循環するための洗浄手段である主な回転ノズル１２及び洗浄ポンプ１３と、洗剤能力を引き出したり油脂を軟化させるために、循環する洗浄水を加熱するための湯沸しヒーター１４と、洗浄に使用された洗浄水を、食器洗浄機１の外部に排水するための排水手段である主な排水ポンプ５１、排水機構５２及び排水管５３と、被洗浄物９８を乾燥させるための乾燥風を発生させるための乾燥手段である主な送風機１５及び送風路１７と、操作部５や各検知装置からの信号に従い、各種電気部品を制御するための制御装置１８とを備えている。
【００１２】
給水弁３２は、給水管３１の下流側に設けられ、給水管３１に供給された洗浄水は給水弁３２を経て給水機構３３である本体側給水連結具３４及び洗浄槽側給水連結具３５を介して給水接続管４３より洗浄槽３内に給水されるようになっている。
なお、給水機構３３である本体側給水連結具３４及び洗浄槽側給水連結具３４については後に詳述する。
また、排水ポンプ５１は洗浄槽３の底部外側に設けられており、洗浄に使用された洗浄水を食器洗浄機１の外部に排水するものである。排水ポンプ５１によって加圧された洗浄水は、排水接続管５７内を導通し、排水機構５２である洗浄槽側排水連結具５４及び本体側排水連結具５５を介して排水管５３より外部に排水されるようになっている。
なお、排水機構５２である洗浄槽側排水連結具５４及び本体側排水連結具５５については後に詳述する。
また、送風機１５は食器洗浄機本体２の後方側で洗浄槽３の外側に設けられ、被洗浄物９８を乾燥させるための空気を送風させるようになっており、乾燥による排気は前扉６に形成されている排気口２２を経て戸外へ放出される。
【００１３】
さらに、食器洗浄機本体２の前方側上部には、洗浄槽３が収納されている状態を検出するためのドア開閉検知装置９が設けられている。このドア開閉検知装置９は洗浄槽３の移動を検出した時点でその信号を制御装置１８に送るようになっている。
また、食器洗浄機本体２の前方側下部には、洗浄槽３内の洗浄水の位置を検出するための水位検知装置２０が設けられている。
そして、これら検知装置の検出情報は、食器洗浄機本体２の前方側に設けられている制御装置１８に送られるようになっている。
制御装置１８は、前扉６と洗浄槽３との間に設けられており、操作部５からのユーザ指示や各検知装置からの信号により洗浄ポンプ１３や排水ポンプ５１、湯沸ヒーター１４、送風機１５、給水弁３２等を制御するようになっている（図３０参照）。この制御装置１８はマイクロコンピュータ等で構成するとよい。
【００１４】
図２に示すように、食器洗浄機１の前扉６の上部には、取っ手４や操作部５の他に、洗浄槽２内の空気を排気するための排気口２２が設けられている。
また、操作部５には、ユーザからの指示を受け付けるための各種のスイッチ、例えば食器洗浄機１への電源供給のＯＮ／ＯＦＦする電源スイッチ１９ａや食器洗浄機１の運転をスタートさせたり、一時停止させたりするスタート／一時運転スイッチ１９ｂ等が設けられている。
【００１５】
図３に示すように、食器洗浄機１を背面から見ると、食器洗浄機本体２内に、洗浄槽３と、開閉蓋１１と、送風機１５と、乾燥用ヒーター１６と、送風機１５及び乾燥用ヒーター１６を内蔵するケーシング８１と、ケーシング８１に接続された送風路１７と、給水管３１と、給水弁３２と、本体側給水連結具３４と、給水接続管３８と、排水ポンプ５１と、排水管５３と、本体側排水連結具５５と、排水トラップ５６と、排水接続管５７と、排水接続管６３とが設置されていることがわかる。
排水トラップ５６は、排水管５３の一部であって、本体側排水連結具５５の下流側に形成することにより、この排水トラップ５６に常時適量の排水を溜めておくことができ、下水等からの異臭や害虫等の侵入を確実に防止できる。
【００１６】
図４及び図５に示すように、食器洗浄機１はシステムキッチン９９の一部に組み込まれて利用することができる。一般的にシステムキッチン９９は、食器洗浄機１の他に、引き出しやドア、シンク、流し台などで構成されている。
図５に示すように、洗浄槽３は、その両側面に設けられているレール８が食器洗浄機本体２の両側に固着されたガイド７をスライドすることによって前後方向に移動可能になっている。
このガイド７は食器洗浄機本体２の両側面に取り付けられ、洗浄槽３の両側面に設けられているレール８を摺動自在に支持している。レール８は洗浄槽３の両側面に取り付けられ、ガイド７に沿って前後方向に移動可能になっている。
従って、食器洗浄機１の引き出し操作は、前扉６に設けられている取っ手４を手で掴み、洗浄槽３を前方に引き出すことにより行われる。
【００１７】
ユーザが洗浄槽３を前方に引き出し、引き出された洗浄槽３の上面に形成された食器収納口３ａより、汚れた被洗浄物９８を洗浄槽３に装着された食器かご１０に載置し、洗浄槽３を食器洗浄機本体２内に押し込み、洗浄槽３を食器洗浄機本体２に収納する。
このとき、洗浄槽３が確実に食器洗浄機本体１に収納され、前扉６が閉められたかどうかを検知するドア開閉検知装置９が食器洗浄機本体２に設けられていて、洗浄槽３が食器洗浄機本体１に収納され、前扉６が閉められたかを確認している。なお、ドア開閉検知装置９は洗浄槽の前扉６に設けてもよい。
ドア開閉検知装置９は、上記でも触れたが、洗浄槽３が確実に収納されて前扉６が閉じらされていることを検出するためのもので、この機能を満たせさえすれば、配置位置に関して特段制限の多いものではなく、本実施の形態１では、ドア開閉検知装置９を食器洗浄機本体２の前方側上部に取り付け、前扉６の後方側上部の位置で、洗浄槽３の位置を検出するものとした。
なお、安全性を確保する観点から、ドア開閉検知装置９の収納状態検知範囲は、狭く設定するのが普通であり、これにより、取っ手４を手で掴み、洗浄槽３の引き出し操作が行われた直後、即ちわずかスライド移動した段階で、各種電気部品の動作を停止することができる。
【００１８】
以上は、本発明の実施の形態１の食器洗浄機の基本構成について説明してきたが、これ以降は、本発明の特徴事項に関連する部分について詳細に説明する。
（給水機構）
まず、水道水を食器洗浄機本体２内の洗浄槽３に給水する給水機構３３について説明する。
図１に示すように、給水機構３３は、洗浄水となる水道水を食器洗浄機本体２の内部に導く給水管３１と、給水管３１に接続され、制御装置１８より伝えられる信号に従って給水路の開閉動作を行う給水弁３２と、食器洗浄機本体２に対し洗浄槽３が前後方向にスライド移動するのに伴い、給水路の連結、切離しを行う本体側給水連結具３４及び洗浄槽側給水連結具３５と、一端が洗浄槽側給水連結具３５に接続され、他端が洗浄槽３に接続された給水接続管４３とにより構成されている。
なお、給水弁３２の給水弁出口３２ａには、図６に示す如く、万が一の汚水逆流に対する上水道の汚染防止を目的に、給水逆止弁３６が装着されている。
その給水逆止弁３６が装着された給水弁出口３２ａを有する給水弁３２に本体側給水連結具３４が接続され、その本体側給水連結具３４が洗浄槽３に給水接続管４３を介して接続されている洗浄槽側給水連結具３５と連結されることで、家屋の上水道配管の水道水を導入する給水管３１から洗浄槽３までに、一連の給水路が成立する。
【００１９】
（本体側給水連結具）
次に、給水機構３３の一部を構成する本体側給水連結具３４について図６〜図１６に基づいて説明する。
本体側給水連結具３４は、図６、図８、図１１及び図１４に示す如く、給水弁３２からの洗浄水が流れ込む本体側給水連結具入口３４ａと、洗浄槽側給水連結具３５に連結される本体側給水連結具本体３４ｂと、本体側給水連結具本体３４ｂの先端内側に装着され、外力が働いたときのみ、通水可能となるよう構成された本体側給水連結具止水弁３７と、本体側給水連結具本体３４ｂに設けられ、食器洗浄機本体２への取り付けに用いる本体側給水連結具取付体３４ｃと、本体側給水連結具本体３４ｂに設けられ、洗浄槽側給水連結具３５との連結時に両連結具の同心位置を得るための筒状の本体側給水連結具雌型ガイド体３４ｄと、本体側給水連結具出口３４ｅとにより構成されたものである。
本体側給水連結具３４の食器洗浄機本体２への取り付けは、本体側給水連結具３４の本体側給水連結具取付体３４ｃを食器洗浄機本体２に当接させ、食器洗浄機本体２を貫通したネジを本体側給水連結具取付体３４ｃに締結することにより、本体側給水連結具３４を食器洗浄機本体２に固着している。
【００２０】
なお、本体側給水連結具３４については、給水弁３２と分離して構成したものと、給水弁３２と略一体化して構成したものとがあるので、図６及び図１７を用いて、それぞれの構成を説明する。
給水弁３２と分離して構成したものは、図６に示す如く、給水弁出口３２ａと本体側給水連結具入口３４ａとを給水接続管３８にて繋げてなるもので、例えば、電気配線上の都合などで、本体側給水連結具３４と給水弁３２とを、離して配置した場合などに適する。
一方、給水弁３２と略一体化して構成したものは、図１７に示す如く、給水弁出口３２ａを、本体側給水連結具本体３４ｂに直接一体的に接続して構成するもので、本体側給水連結具入口３４ａと給水接続管３８を用いなくてもすみ、部品削減はもとより、漏水が心配される接続箇所を削減することができる。
【００２１】
（洗浄槽側給水連結具）
次に、給水機構３３の一部を構成する洗浄槽側給水連結具３５について図６〜図１６に基づいて説明する。
洗浄槽側給水連結具３５は、図６、図８、図１１及び図１４に示す如く、本体側給水連結具３４に連結される円筒状で先端側に段部を有して拡径の洗浄槽側給水連結具本体３５ａと、洗浄槽側給水連結具本体３５ａの拡径の先端内側に、給水止水パッキン押え３９を用いて装着され、本体側給水連結具３４と洗浄槽側給水連結具３５との連結部分、すなわち、本体側給水連結具本体３４ｂと洗浄槽側給水連結具本体３５ａとの間の漏水を防止するためのゴム等の弾性部材で形成された給水止水パッキン４０と、同じく前記洗浄槽側給水連結具本体３５ａの内部に装着され、逆流防止の機能を持つ洗浄槽側給水連結具止水弁４１及び洗浄槽側給水連結具止水板４２と、洗浄槽３へと洗浄水を送り込む洗浄槽側給水連結具出口３５ｂと、洗浄槽側給水連結具出口３５ｂと洗浄槽３とをつなぐ給水接続管４３と、洗浄槽３への取り付けに用いる略正方形の洗浄槽側給水連結具取付筒３５ｃと、本体側給水連結具３４との連結時に、両連結具の同心位置を得るための軸状の洗浄槽側給水連結具側雄型ガイド体３５ｄとにより構成されたものである。
この洗浄槽側給水連結具３５の洗浄槽３への取り付けは、洗浄槽３の後方側に形成された洗浄槽側給水連結具取付ボス３ｂを洗浄槽側給水連結具３５の略正方形の洗浄槽側給水連結具取付筒３５ｃに貫通させ、その洗浄槽側給水連結具取付ボス３ｂに洗浄槽側給水連結具取付筒３５ｃより外径の大きい鍔を備えたネジ４４を締結することにより、洗浄槽側給水連結具取付ボス３ｂに対して洗浄槽側給水連結具３５が平面的な面内で上下左右方向に可動可能に装着されている。
【００２２】
ここで、洗浄槽側給水連結具３５における洗浄槽側給水連結具本体３５ａの拡径の先端内側に装着される給水止水パッキン４０について、もう少し詳しく説明する。
給水止水パッキン４０は、上記に示してきた給水機構３３を構成する部品のなかで、もっとも重要な部品と言ってよい。
その給水止水パッキン４０の働きは、本体側給水連結具３４に形成された本体側給水連結具本体３４ｂと、洗浄槽側給水連結具３５に形成された洗浄槽側給水連結具本体３５ａとの間の漏水を防止するためのもので、その漏水の防止は、本体側給水連結具本体３４ｂに給水止水パッキン４０に形成されたリップ部４０ａが水密状態に密着することで成立する。
なお、これを確実なものとするためには、両連結具の同心をしっかり取り、リップ部４０ａに偏った力を加えず、リップ部４０ａが異常に変形することを防ぐことが、なにより重要である。
【００２３】
しかし、本体側給水連結具３４と洗浄槽側給水連結具３５とにより構成されたる給水機構３３は、洗浄槽３が食器洗浄機本体２内部に収納される時に生ずる位置ずれの影響を受けやすく、いかにこの位置ずれを吸収するかが重要である。
また、本体側給水連結具３４と洗浄槽側給水連結具３５とが切離された時、本体側給水連結具本体３４ｂ及び洗浄槽側給水連結具本体３５ａからの水垂れをいかに防ぐかが重要である。
以降に、位置ずれ吸収に関連する工夫、止水に関連する工夫、水垂れ防止に関連する工夫について説明する。
【００２４】
（位置ずれ吸収）
まず、本体側給水連結具３４と洗浄槽側給水連結具３５との位置ずれ吸収について説明する。
その位置ずれ吸収には、両連結具に形成した雄型と雌型のガイド体を活用したガイド方法と、洗浄槽側給水連結具３５を洗浄槽３に対して可動させる方法を取っている。
本実施の形態１の雄型と雌型のガイド体を活用したガイドの方法としては、穴と軸を挿嵌させる方法を、洗浄槽側給水連結具３５を洗浄槽３に対して可動させる方法としては、穴と軸を遊嵌させる方法を用いている。
即ち、雄型と雌型のガイド体を活用したガイドの具体的な方法としては、本体側給水連結具３４には、本体槽側給水連結具雌型ガイド体３４ｄとして穴と長穴を形成し、洗浄槽側給水連結具３５には、洗浄槽側給水連結具雄型ガイド体３５ｄとして、先端が略円錐状に形成された軸を２本形成し、洗浄槽３が食器洗浄機本体２内部に収納された時にそれぞれが穴と長穴に挿嵌する構成とした（図８から図１０参照）。
【００２５】
両連結具に雄型と雌型のガイド体を２組設けたのは、上下左右方向の２軸の位置ずれを吸収するためで、一方の穴を長穴としたのは、一般的に広く取られている方法で、寸法バラツキを考慮したものである。
また、軸の先端を略円錐状としたのは、これも一般的に広く取られている方法で、穴で軸を拾い誘いやすくするためである。
なお、洗浄槽側給水連結具雄型ガイド体３５ｄとした軸の、先端の略円錐状の範囲から円柱状の範囲へ移行するポイントを、給水止水パッキン４０が機能しはじめる以前の位置としたが、これは、両連結具の上下左右方向の２軸の位置が、同心位置となった段階以降に、給水止水パッキン４０が機能しはじめるようにするためである。
【００２６】
次に、洗浄槽側給水連結具３５を洗浄槽３に対して可動させる具体的な方法としては、洗浄槽側給水連結具３５に形成した略正方形の大きな穴を有する洗浄槽側給水連結具取付筒３５ｃを、ネジ締結機能の他、軸の機能を持たせた、洗浄槽３の後方側に形成した洗浄槽側給水連結具取付ボス３ｂに遊嵌状態に装着し、洗浄槽側給水連結具取付筒３５ｃから少し突出した洗浄槽側給水連結具取付ボス３ｂに洗浄槽側給水連結具取付筒３５ｃより外径の大きい鍔を備えたネジ４４を締結することで、洗浄槽３に対し洗浄槽側給水連結具３５を平面的に可動可能に装着する構成とした（図８から図１０参照）。
なお、位置ずれの吸収代は、軸である洗浄槽側給水連結具取り付けボス３ｂと、略正方形の大きな穴である洗浄槽側給水連結具取付筒３５ｃとの間に生じる隙間の範囲である。
【００２７】
改めて、洗浄槽側給水連結具３５が洗浄槽３に対して可動可能に装着されている理由だが、洗浄槽３が食器洗浄機本体２内部に収納される時に生ずる上下左右方向の２軸の位置ずれに対し配慮したもので、要するに、洗浄槽３と食器洗浄機本体２との上下左右方向の２軸の位置ずれが多少生じても、食器洗浄槽浄本体２に固着された本体側給水連結具３４に、雄型と雌型の両ガイド体の作用により洗浄槽側給水連結具３５を追従させ、両連結具の同心位置を得るためである。
これは何より、給水止水パッキン４０を十分に機能させるため、すなわち、両連結具の連結部分の漏水を確実に防止するためである。
【００２８】
なお、固定側を本体側給水連結具３４とした理由については、食器洗浄機１をシステムキッチン９９に設置する作業に起因する不具合に配慮したもので、配管作業において、万が一、給水管３１に過剰な力が加えられたとしても、本体側給水連結具３４がしっかり固着されていれば、その力に耐えられるが、これが可動可能に装着されていたとすれば、その力が拘束力となり、追従動作できなくなる恐れが考えられるからである。
【００２９】
（止水）
本体側給水連結具３４と洗浄槽側給水連結具３５との連結部分の止水は、上述の通り、図６に示すように、給水止水パッキン４０を用いて行っており、この給水止水パッキン４０は、洗浄槽側給水連結具本体本体３５ａの先端内側に、給水止水パッキン押え３９を用いて装着されている。
なお、給水止水パッキン４０の止水部は、先端が縮径となるラッパ状に形成されたリップ部４０ａで、その向きは、本体側給水連結具本体３４ｂの挿入方向と同様にしている。
これは、本体側給水連結具本体３４ｂが挿入される時、リップ部４０ａがめくられないようにするためと、ここを流れる洗浄水の圧力を、リップ部４０ａが本体側給水連結具本体３４ｂに水密状態に密着するよう作用させるためである。
【００３０】
図６に示すように、給水止水パッキン押さえ３９も、略ラッパ状に形成されており、一端は本体側給水連結具本体３４ｂを誘いやすくするために径を大きく、もう一端は本体側給水連結具本体３４ｂとの同心を確保するために、本体側給水連結具本体３４ｂの径よりもわずかに大きい径としている。
図６からも分かるように、これらの並びは洗浄槽側給水連結具本体３５ａの拡径の先端側から、給水止水パッキン押さえ３９の大径部、小径部、給水止水パッキン４０及び洗浄槽側給水連結具本体３５ａの円筒部となっている。
【００３１】
これはある意味、本体側給水連結具３４、洗浄槽側給水連結具３５のそれぞれに形成した本体側給水連結具雌型ガイド体３４ｄ、洗浄槽側給水連結具雄型ガイド体３５ｄと同様の作用を得るためでもあり、両連結具の連結開始時に給水止水パッキン押え３９の大径部が、本体側給水連結具本体３４ｂを拾い誘い込むことで、両連結具の同心位置は十分得られるので、両ガイド体がなくとも、給水止水パッキン４０を十分に機能させることができ、両連結具の連結部分の漏水を確実に防止できる。
なお、洗浄槽側給水連結具本体３５ａの先端以外の円筒部は、本体側給水連結具本体３４ｂの、斜め挿入等を防ぐために、給水止水パッキン押え３９の小径部と同様の、本体側給水連結具本体３４ｂの径よりもわずかに大きい径としている。
【００３２】
洗浄槽側給水連結具本体３５ａに対する本体側給水連結具本体３４ｂの挿入寸法、すなわち、図７に示す給水止水パッキン４０の止水有効範囲Ｌ（即ち、本体側給水連結具本体３４ｂの外周面が接触している洗浄槽側給水連結具本体３５ａの内周面と給水止水パッキン４０のリップ部４０ａとの間の止水範囲をいう）を、比較的長めに設定している理由だが、洗浄槽３が食器洗浄機本体２内部に収納される時に生ずる前後方向の位置ずれに対し配慮したものである。
要するに、洗浄槽３と食器洗浄機本体２との前後方向の位置ずれが多少生じても、給水止水パッキン４０のリップ部４０ａが本体側給水連結具本体３４ｂを密着することができるからである。
また、給水止水パッキン４０の止水有効範囲を、ドア開閉検知装置９の収納状態検知範囲より長めに設定しておけば、引き出し操作に伴う各種電気部品の動作停止以後、給水止水パッキン４０のリップ部４０ａと本体側給水連結具本体３４ｂが離れることになるので、例えば、給水の途中であっても、連結部分から漏水させることなく、両連結具の切離しができる。
【００３３】
（水垂れ防止）
本体側給水連結具本体３４ｂ及び洗浄槽側給水連結具本体３５ａからの水垂れを防止する方法について説明する。
その水垂れを防止する方法は、本体側給水連結具本体３４ｂ及び洗浄槽側給水連結具本体３５ａの両通水口に装着した止水弁を用いるものであり、その一方の本体側給水連結具止水弁３７は、本体側給水連結具本体３４ｂの先端内側に、弁体が片持ち支持され、スイング可能なよう装着され、常時は本体側給水連結具出口３４ｅを閉止している。
このような形態の弁は、流体の流れ方向に順ずる方向に弁体がスイングし、その弁体と止水板とを密着させることで止水機能を発揮させるものであり、本体側給水連結具止水弁３７は、通常であれば、弁体が、本体側給水連結具本体３４ｂの先端に形成した穴状の本体側給水連結具出口３４ｅと密着してしまい、給水中に止水してしまう向きに装着されている。但し、弁体に、流体の流れとは逆方向の外力を与えてやれば、問題なく流体を流すことができる。
【００３４】
その本体側給水連結具止水弁３７は、このような原理を利用したもので、本体側給水連結具３４と洗浄槽側給水連結具３５とが連結された状態においては、洗浄槽側給水連結具本体３５ａの内部に装着された洗浄槽側給水連結具止水板４２に形成された軸４２ａで、本体側給水連結具止水弁３７に外力を与え、洗浄水が流れるようにしてあり（図７参照）、本体側給水連結具３４と洗浄槽側給水連結具３５とが切離された状態においては、止水機能が発揮されるようにしてある（図６参照）。
もう一方の洗浄槽側給水連結具止水弁４１及び洗浄槽側給水連結具止水板４２も、その動作原理や機能は、本体側給水連結具止水弁３７と同様である。
但し、装着されている向きは、洗浄水が逆流したときのみ、止水機能を発揮する向きである。
【００３５】
今まで述べてきたように、ドア開閉検知装置９の働きにより、洗浄槽３の引き出し操作が行われた直後、即ちわずかスライド移動した段階に、各種電気部品の動作を停止したり、ドア開閉検知装置９の収納状態検知範囲より、給水止水パッキン４０の止水有効範囲を大きくしたりと、この部分の漏水対策は十分に施されているが、更なる漏水対策として施すものである。
【００３６】
次に、本体側給水連結具３４と洗浄槽側給水連結具３５との位置ずれ吸収が、雌型ガイド体と雄型ガイド体の位置ずれ吸収に伴いなされる状態を図１１〜図１６に基づいて説明する。
なお、図１１〜図１３は本体側給水連結具３４と洗浄槽側給水連結具３５との上半分の断面を示し、図１４〜図１６は本体側給水連結具３４と洗浄槽側給水連結具３５との下半分の断面を示している。
食器洗浄機本体２に向けて洗浄槽３をスライドさせ、食器洗浄機本体２に固定されている本体側給水連結具３４に、洗浄槽３に可動可能に取り付けられている洗浄槽側給水連結具３５が近づくと、まず洗浄槽側給水連結具３５の洗浄槽側給水連結具雄型ガイド体３５ｄの略円錐状の先端が本体側給水連結具３４の本体側給水連結具雌型ガイド体３４ｄの内周面に接触し（図１１及び図１４参照）、次に本体側給水連結具雌型ガイド体３４ｄの内周面に案内されて洗浄槽側給水連結具雄型ガイド体３５ｄが図において上下に可動し、洗浄槽側給水連結具雄型ガイド体３５ｄの略円錐状の先端が本体側給水連結具雌型ガイド体３４ｄに向かって位置決めされていく。
【００３７】
このとき、それに伴い洗浄槽側給水連結具３５の洗浄槽側給水連結具本体３５ａも本体側給水連結具３４の本体側給水連結具本体３４ｂの中心に向けて位置決めされていく（図１２及び図１５参照）。
最後に、本体側給水連結具雌型ガイド体３４ｄ内に洗浄槽側給水連結具雄型ガイド体３５ｄが挿入される、それに伴い洗浄槽側給水連結具本体３５ａが本体側給水連結具本体３４ｂに位置ずれすることなく嵌合し、洗浄槽側給水連結具３５が本体側給水連結具３４と連結されることとなる（図１３及び図１６参照）。
このとき、本体側給水連結具３４の本体側給水連結具止水弁３７は洗浄槽側給水連結具３５の軸４２ａによってスイング可動させられて本体側給水連結具出口３４ｅは開放させられる。
また、洗浄槽側給水連結具３５の洗浄槽側給水連結具止水弁４１は給水によってスイング可動させられて開くことになる。
【００３８】
（実施の形態１の給水機構の効果）
以上の通り、この実施の形態１の食器洗浄機１は、食器洗浄機本体２に設けられた本体側給水連結具３４と洗浄槽３に可動可能に設けられた洗浄槽側給水連結具３５とで給水機構３３が構成され、食器洗浄機本体２に対し洗浄槽３が前後方向にスライド移動するのに伴い、本体側給水連結具３４と洗浄槽側給水連結具３５とが連結、切離しを行って給水路の開閉が行われる。
そして、食器洗浄機本体２に設けられた本体側給水連結具３４の本体側給水連結具本体３４ｂの先端に、洗浄槽３に可動可能に設けられた洗浄槽側給水連結具３５の洗浄槽側給水連結具本体３５ａのラッパ状の先端が可動して連結されることにより、両者が同心位置に連結される。
その本体側給水連結具３４に２つの雌型ガイド体３４ｄを設け、洗浄槽側給水連結具３５に２つの雄型ガイド体３５ｄを設け、雌型と雄型の両ガイド体３４ｄ、３５ｄのガイド作用を利用することにより、本体側給水連結具本体３４ｂの先端に洗浄槽側給水連結具本体３５ａのラッパ状の先端が、より一層同心位置に連結される。
また、洗浄槽側給水連結具本体３５ａの先端に弾性材で形成された給水止水パッキン４０を給水止水パッキン押え３９で装着し、本体側給水連結具本体３４ｂの先端と洗浄槽側給水連結具本体３５ａの先端との連結の際に給水止水パッキン４０を介在させることにより止水が行われる。
【００３９】
さらに、給水止水パッキン４０に本体側給水連結具本体３４ｂの先端に水密状に密着するリップ部４０ａを設けて給水止水パッキン４０の止水有効範囲を比較的長めに設定することによって両連結具の前後方向の位置ずれを吸収することができる。
また、給水止水パッキン４０の止水有効範囲を、ドア開閉検知装置９の収納状態検知範囲より長めに設定することにより、洗浄槽３の引き出し操作に伴う各種電気部品の動作停止以後に給水止水パッキン４０が本体側給水連結具出口３４ｂと離れるようになり、給水機構３３の大きな課題である連結部分の漏水を、確実に防止することができる。
さらに、両連結具が切離された状態において、止水機能が発揮される止水弁３７、４１を本体側給水連結具本体３４ｂと洗浄槽側給水連結具本体３５ａの両通水口に装着したことにより、給水機構３３の大きな課題である連結部分の漏水を、確実に防止することができる。
また、給水逆止弁３６を、一連の給水路の上流側である給水弁３２の給水弁出口３２ａに装着したことで、切離された給水機構３３の連結部分に、何らかの理由で汚物、汚水が付着したとしても、給水弁３２より上流側に逆流することはなく、上水道の安全が確保できる。
【００４０】
（排水機構）
次に、洗浄槽３内の洗浄水を外部に排水する排水機構５２について説明する。
図１９に示すように、排水機構５２は、制御装置１８より伝えられる信号に従い、洗浄槽３に貯えられた洗浄水を排水する排水ポンプ５１と、排水ポンプ５１に接続された排水接続管５７と、食器洗浄機本体２に対し洗浄槽３が前後方向にスライド移動するのに伴い、排水路の連結、切離しを行う洗浄側排水連結具５４と本体側排水連結具５５と、本体側排水連結具５５に接続され、常時適量の排水が溜められ、下水等から侵入する悪臭や害虫の侵入を防止する排水トラップ５６と、一端が排水トラップ５６に、一端が家屋の排水配管に接続される、洗浄に使用された洗浄水を食器洗浄機１の外部へ導く排水管５３とで構成されている。
また、洗浄側排水連結具５４と本体側排水連結具５５は洗浄槽３内に貯えられる洗浄水の水位より上方に配置されている。
なお、排水ポンプ５１と洗浄側排水連結具５４とが繋がれ、本体側排水連結具５５と排水トラップ５６とが繋がれることで、洗浄槽３から家屋の排水配管までに一連の排水路が成立する。
【００４１】
（洗浄槽側排水連結具）
次に、排水機構５２の一部を構成する洗浄槽側排水連結具５４について図１９〜図２９に基づいて説明する。
洗浄槽側排水連結具５４は、図１９、図２１、図２２及び図２４に示す如く、排水ポンプ５１からの洗浄水が流れ込む洗浄槽側排水連結具入口５４ａと、排水ポンプ５１と洗浄槽側排水連結具入口５４ａとを繋ぐ排水接続管５７と、本体側排水連結具５５に連結される洗浄槽側排水連結具本体５４ｂと、洗浄槽側排水連結具本体５４ｂの先端内側に装着され、外力が働いたときのみ通水可能となるよう構成された洗浄槽側排水連結具止水弁５８と、洗浄槽３への取り付けに用いる略正方形の洗浄槽側排水連結具取付筒５４ｃと、本体側排水連結具５５との連結時に両連結具の同心位置を得るための洗浄槽側排水連結具雄型ガイド体５４ｄとにより構成されている。
この洗浄槽側排水連結具５４の洗浄槽３への取り付けは、洗浄槽３の後方側に形成された洗浄槽側排水連結具取付ボス３ｃを洗浄槽側排水連結具５４の略正方形の洗浄槽側排水連結具取付筒５４ｃに貫通させ、その洗浄槽側排水連結具取付ボス３ｃに洗浄槽側排水連結具取付筒５４ｃより外径の大きい鍔を備えたネジ６４をネジ止めすることにより、洗浄槽側排水連結具取付ボス３ｃに対して洗浄槽側排水連結具５４が平面的な面内で上下左右方向に可動可能に装着されている。
【００４２】
（本体側排水連結具）
次に、排水機構５２の一部を構成する本体側排水連結具５５について図１９〜図２９に基づいて説明する。
本体側排水連結具５５は、図１９、図２１、図２２及び図２４に示す如く、洗浄槽側排水連結具５４に連結される円筒状で先端側に段部を有して拡径の本体側排水連結具本体５５ａと、本体側排水連結具本体５５ａの先端内側に、排水止水パッキン押さえ５９を用いて装着され、洗浄槽側排水連結具５４と本体側排水連結具５５との連結部分、すなわち、洗浄槽側排水連結具本体５４ｂと本体側排水連結具本体５５ａとの間の漏水を防止するためのゴム等の弾性部材で形成された排水止水パッキン６０と、同じく本体側排水連結具本体５５ａの内部に装着され、逆流防止の機能を持つ本体側排水連結具止水弁６１及び本体側排水連結具止水板６２と、排水トラップ５６へと洗浄水を送り込む本体側排水連結具出口５５ｂと、本体側排水連結具出口５５ｂと排水トラップ５６とを繋ぐ排水接続管６３と、食器洗浄機本体２への取り付けに用いる本体側排水連結具取付体５５ｃと、洗浄槽側排水連結具５４との連結時に、両連結具の同心位置を得るための本体側排水連結具雌型ガイド体５５ｄとにより構成されたものである。
この本体側排水連結具５５の食器洗浄機本体２への取り付けは、本体側排水連結具５５の本体側排水連結具取付体５５ｃを食器洗浄機本体２に当接させ、食器洗浄機本体２を貫通したネジを本体側排水連結具取付体５５ｃに締結することにより、本体側排水連結具５５を食器洗浄機本体２に固着している。
【００４３】
ここで、本体側排水連結具５５における本体側排水連結具本体５５ａの拡径の先端内側に装着される排水止水パッキン６０について、もう少し詳しく説明する。
なお、以降の説明には、給水機構３３と同様の意味を持つ内容が、多々あることをあらかじめ断わる。
排水止水パッキン６０は、上記に示してきた排水機構５２を構成する部品のなかで、もっとも重要な部品と言ってよい。
その排水止水パッキン６０の働きは、上記でも触れているが、洗浄槽側排水連結具５４に形成された洗浄槽側排水連結具本体５４ｂと、本体側排水連結具５５に形成された本体側排水連結具本体５５ａとの間の漏水を防止するためのもので、その漏水の防止は、洗浄槽側排水連結具本体５４ｂに、排水止水パッキン６０に形成されたリップ部６０ａが水密状態に密着することで成立する。
なお、これを確実なものとするためには、両連結具の同心をしっかり取り、リップ部６０ａに偏った力を加えず、リップ部６０ａが異常に変形することを防ぐことが、なにより重要である。
【００４４】
しかし、洗浄側排水連結具５４と本体側排水連結具５５とにより構成された排水機構５２は、洗浄槽３が食器洗浄機本体２内部に収納される時に生ずる位置ずれの影響を受けやすく、いかにこの位置ずれを吸収するかが重要である。
また、洗浄側排水連結具５４と本体側排水連結具５５とが切離された時、洗浄槽側排水連結具本体５４ｂ及び本体側排水連結具本体５５ａからの水垂れをいかに防ぐかが重要である。
以降に、位置ずれ吸収に関連する工夫、止水に関連する工夫、水垂れ防止に関連する工夫について説明する。
【００４５】
（位置ずれ吸収）
まず、洗浄槽側排水連結具５４と本体側排水連結具５５との位置ずれ吸収について説明する。
その位置ずれ吸収には、両連結具に形成した雄型と雌型のガイド体を活用したガイド方法と、洗浄槽側排水連結具５４を洗浄槽３に対して可動させる方法を取っている。
本実施の形態１の雄型と雌型のガイド体を活用したガイドの方法としては、穴と軸を挿嵌させる方法を、洗浄槽側排水連結具５４を洗浄槽３に対して可動させる方法としては、穴と軸を遊嵌させる方法を用いている。
即ち、雄型と雌型のガイド体を活用したガイドの具体的な方法であるが、本体側排水連結具５５には、本体側排水連結具雌型ガイド体５５ｄとして、穴と長穴を形成し、洗浄槽側排水連結具５４には、洗浄槽側排水連結具雄型ガイド体５４ｄとして、先端が略円錐状に形成された軸を２本形成し、洗浄槽３が食器洗浄機本体２内部に収納された時にそれぞれが穴と長穴に挿嵌する構成とした（図２１から図２３参照）。
【００４６】
両連結具に雄型と雌型のガイド体を２組設けたのは、上下左右方向の２軸の位置ずれを吸収するためで、一方の穴を長穴としたのは、一般的に広く取られている方法で、寸法バラツキを考慮したものである。
また、雄型ガイド体である軸の先端を略円錐状としたのは、これも一般的に広く取られている方法で、穴で軸を拾い誘いやすくするためである。
なお、洗浄槽側排水連結具雄型ガイド体５４ｄとした軸の、先端の略円錐状の範囲から円柱状の範囲へ移行するポイントを、排水止水パッキン６０が機能しはじめる以前の位置としたが、これは、両連結具の上下左右方向の２軸の位置が、同心位置となった段階以降に、排水止水パッキン６０が機能しはじめるようにするためである。
【００４７】
次に、洗浄槽側排水連結具５４を洗浄槽３に対して可動させる具体的な方法としては、洗浄槽側排水連結具５４に形成した略正方形の大きな穴を有する洗浄槽側排水連結具取付筒５４ｃを、ネジ締結機能の他、軸の機能を持たせた、洗浄槽３の後方側に形成した洗浄槽側排水連結具取付ボス３ｃに遊嵌状態に装着し、洗浄槽側排水連結具取付筒５４ｃから少し突出した洗浄槽側排水連結具取付ボス３ｃに、洗浄槽側排水連結具取付筒５４ｃより外径の大きい鍔を備えたネジ６４を締結することで、洗浄槽３に対し洗浄槽側排水連結具５４を、平面的な面内で上下左右方向に可動可能に装着する構成とした（図２１から図２３参照）。
なお、位置ずれの吸収代は、軸である洗浄槽側排水連結具取付ボス３ｃと、略正方形の大きな穴である洗浄槽側排水連結具取付筒５４ｃとの間に生じる隙間の範囲である。
【００４８】
改めて、洗浄槽側排水連結具５４が洗浄槽３に対して可動可能に装着されている理由だが、洗浄槽３が食器洗浄機本体２内部に収納される時に生ずる、上下左右方向の２軸の位置ずれに対し配慮したもので、要するに、洗浄槽３と食器洗浄機本体２との上下左右方向の２軸の位置ずれが多少生じても、食器洗浄機本体２に固着された本体側排水連結具５５に、雄型と雌型の両ガイド体の作用により洗浄槽側排水連結具５４を追従させ、両連結具の同心位置を得るためである。
これは何より、排水止水パッキン６０を十分に機能させるため、すなわち、両連結具の連結部分の漏水を確実に防止するためである。
【００４９】
なお、固定側を本体側排水連結具５５とした理由については、食器洗浄機１をシステムキッチン９９に設置する作業に起因する不具合に配慮したもので、配管作業において、万が一、排水管５３に過剰な力が加えられたとしても、本体側排水連結具５５がしっかり固着されていれば、その力に耐えられるが、これが可動可能に装着されていたとすれば、その力が拘束力となり、追従動作できなくなる恐れが考えられるからである。
【００５０】
（止水）
洗浄槽側排水連結具５４と本体側排水連結具５５との連結部分の止水は、上述の通り、図１９に示すように、排水止水パッキン６０を用いて行っており、この排水止水パッキン６０は、本体側排水連結具入口５５ａの先端内側に、排水止水パッキン押え５９を用いて装着されている。
なお、排水止水パッキン６０の止水部は、先端が縮径となるラッパ状に形成されたリップ部６０ａで、その向きは洗浄槽側排水連結具本体５４ｂの挿入方向と同様にしている。
これは、洗浄槽側排水連結具本体５４ｂが挿入される時、リップ部６０ａがめくられないようにするためと、ここを流れる排水の圧力を、リップ部６０ａが洗浄槽側排水連結具本体５４ｂに水密状態に密着するよう作用させるためである。
【００５１】
図１９に示すように、排水止水パッキン押え５９も、略ラッパ状に形成されており、一端は洗浄槽側排水連結具本体５４ｂを誘いやすくするために径を大きく、もう一端は洗浄槽側排水連結具本体５４ｂとの同心を確保するために、洗浄槽側排水連結具本体５４ｂの径よりもわずかに大きい径としている。
図１９からも分かるように、これらの並びは本体側排水連結具本体５５ａの拡径の先端側から、排水止水パッキン押さえ５９の大径部、小径部、排水止水パッキン６０及び本体側排水連結具本体５５ａの円筒部となっている。
【００５２】
これはある意味、本体側排水連結具５５、洗浄槽側排水連結具５４のそれぞれに形成した、本体側排水連結具雌型ガイド体５５ｄ、洗浄槽側排水連結具雄型ガイド体５４ｄと同様の作用を得るためでもあり、両連結具の連結開始時に排水止水パッキン押さえ５９の大径部が、洗浄槽側排水連結具本体５４ｂを拾い誘い込むことで、両連結具の同心位置は十分得られるので、両ガイド体がなくとも、排水止水パッキン６０を十分に機能させることができ、両連結具の連結部分の漏水を確実に防止できる。
なお、本体側排水連結具本体５５ａの先端以外の円筒部は、洗浄槽側排水連結具本体５４ｂの、斜め挿入等を防ぐために、排水止水パッキン押え５９の小径部と同様の、洗浄槽側排水連結具本体５４ｂの径よりもわずかに大きい径としている。
【００５３】
本体側排水連結具本体５５ａに対する洗浄槽側排水連結具本体５４ｂの挿入寸法、すなわち、排水止水パッキン６０の止水有効範囲（即ち、洗浄槽側排水連結具本体５４ｂの外周面が接続している本体側排水連結具本体５５ａの内周面と排水止水パッキン６０のリップ部６０ａとの間の止水範囲をいう）を、比較的長めに設定している理由だが、洗浄槽３が食器洗浄機本体２内部に収納される時に生ずる、前後方向の位置ずれに対し配慮したものである。
要するに、洗浄槽３と食器洗浄機本体２との前後方向の位置ずれが多少生じても、排水止水パッキン６０のリップ部６０ａが洗浄槽側排水連結具本体５４ｂを密着することができるからである。
また、洗浄槽側排水連結具本体５４ｂの挿入寸法、即ち、排水止水パッキン６０の止水有効範囲を、ドア開閉検知装置９の収納状態検知範囲より長めに設定しておけば、引き出し操作に伴う各種電気部品の動作停止以後、排水止水パッキン６０のリップ部６０ａと洗浄槽側排水連結具本体５４ｂが離れることになるので、例えば、排水の途中であっても、連結部分から漏水させることなく、両連結具の切離しができる。
【００５４】
（水垂れ防止）
洗浄槽側排水連結具本体５４ｂ及び本体側排水連結具本体５５ａからの水垂れを防止する方法について説明する。
その水垂れを防止する方法は、洗浄槽側排水連結具本体５４ｂ及び本体側排水連結具本体５５ａの両通水口に装着した止水弁を用いるものであり、その一方の洗浄槽側排水連結具止水弁５８は、上述の通り、洗浄槽側排水連結具本体５４ｂの先端内側に、弁体が片持ち支持され、スイング可能なよう装着され、常時は洗浄槽側排水連結具出口５４ｅを閉止している。
このような形態の弁は、流体の流れ方向に順ずる方向に弁体がスイングし、その弁体と止水板とを密着させることで止水機能を発揮させるものであり、洗浄槽側排水連結具止水弁５８は、通常であれば、弁体が、洗浄槽側排水連結具本体５４ｂの先端に形成した穴状の洗浄槽側排水連結具出口５４ｅと密着してしまい、排水中に止水してしまう向きに装着されている。
但し、弁体に、流体の流れとは逆方向の外力を与えてやれば、問題なく流体を流すことができる。
【００５５】
洗浄槽側排水連結具止水弁５８は、このような原理を利用したもので、洗浄槽側排水連結具５４と本体側排水連結具５５とが、連結された状態においては、本体側排水連結具本体５５ａの内部に装着された本体側排水連結具止水板６２に形成された軸６２ａで、洗浄槽側排水連結具止水弁５８に外力を与え、排水が流れるようにしてあり（図２０参照）、洗浄槽側排水連結具５４と本体側排水連結具５５とが切離された状態においては、止水機能が発揮されるようにしてある（図１９参照）。
【００５６】
そもそも排水するために、洗浄水に動力（流れ）を与えるのは、排水ポンプ５１であるが、この排水ポンプ５１には、電動機を動力源とする遠心ポンプ式が用いられることが多く、この遠心ポンプ式は、電動機への電源供給が停止した後も、慣性力の働きで、回転が完全に停止するまで、若干の時間を要す場合がある。
従って、排水中に引き出し操作が行われ、洗浄槽側排水連結具５４と本体側排水連結具５５とが切離される場合に生じる洗浄槽側排水連結具本体５４ｂの水切れ性について、考慮しておく必要がある。
上記に示した止水弁である洗浄槽側排水連結具止水弁５８の働きは、このような排水機構５２独特の課題を解決するのに、大変有効に作用する。
【００５７】
もう一方の本体側排水連結具止水弁６１及び本体側排水連結具止水板６２も、その動作原理や機能は、洗浄槽側排水連結具止水弁５８と同様である。
但し、装着されている向きは、排水が逆流したときのみ、止水機能を発揮する向きである。
通常では考え難いが、家屋の排水の逆流も、ないわけではない。
上記に示した止水弁である本体側排水連結具止水弁６１の働きは、このような排水機構５２独特の課題を解決するのに、大変有効に作用する。
【００５８】
次に、洗浄槽側排水連結具５４と本体側排水連結具５５との位置ずれ吸収が、雄型ガイド体と雌型ガイド体の位置ずれ吸収に伴い成される状態を図２４〜図２９に基づいて説明する。
なお、図２４〜図２６は洗浄槽側排水連結具５４と本体側排水連結具５５との下半分の断面を示し、図２７〜図２９は洗浄槽側排水連結具５４と本体側排水連結具５５との上半分の断面を示している。
食器洗浄機本体２に向けて洗浄槽３をスライドさせ、食器洗浄機本体２に固定されている本体側排水連結具５５に、洗浄槽３に可動可能に取り付けられている洗浄槽側排水連結具５４が近づくと、まず洗浄槽側排水連結具５４の洗浄槽側排水連結具雄型ガイド体５４ｄの略円錐状の先端が本体側排水連結具５５の本体側排水連結具雌型ガイド体５５ｄの内周面に接触し（図２４及び図２７参照）、次に本体側排水連結具雌型ガイド体５５ｄの内周面に案内されて洗浄槽側排水連結具雄型ガイド体５４ｄが図において上下に可動し、洗浄槽側排水連結具雄型ガイド体５４ｄの略円錐状の先端が本体側排水連結具雌型ガイド体５５ｄに向かって位置決めされていく。
【００５９】
このとき、それに伴い洗浄槽側給水連結具５４の洗浄槽側給水連結具本体５４ｂも本体側排水連結具５５の本体側排水連結具本体５５ａの中心に向けて位置決めされていく（図２５及び図２８参照）。
最後に、本体側給水連結具雌型ガイド体５５ｄ内に洗浄槽側排水連結具雄型ガイド体５４ｄが挿入される。それに伴い洗浄槽側排水連結具本体５４ｂが本体側排水連結具本体５５ａに位置ずれすることなく嵌合し、洗浄槽側排水連結具５４が本体側排水連結具５５と連結されることとなる（図２６及び図２９参照）。
このとき、洗浄槽側排水連結具５４の洗浄槽側排水連結具止水弁５８は本体側排水連結具５５の軸６２ａによってスイング可動させられて洗浄槽側排水連結具出口５４ｅは開放させられる。
また、本体側排水連結具５５の本体側給水連結具止水弁６１は排水によってスイング可動させられて開くことになる。
【００６０】
（実施の形態１の排水機構の効果）
以上の通り、この実施の形態１の食器洗浄機１は、洗浄槽３に可動可能に設けられた洗浄槽側排水連結具５４と食器洗浄機本体２に設けられた本体側排水連結具５５とで排水機構５２が構成され、食器洗浄機本体２に対し洗浄槽３が前後方向にスライド移動するのに伴い、洗浄槽側排水連結具５４と本体側排水連結具５５とが連結、切離しを行って排水路の開閉が行われる。
そして、食器洗浄機本体２に設けられた本体側排水連結具５５の本体側給水連結具本体５５ａのラッパ状の先端に、洗浄槽３に可動可能に設けられた洗浄槽側排水連結具５４の洗浄槽側排水連結具本体５４ｂの先端が可動して連結されることにより、両者が同心位置に連結される。
その洗浄槽側排水連結具５４に２つの雄型ガイド体５４ｄを設け、本体側排水連結具５５に２つの雌型ガイド体５５ｄを設け、雄型と雌型の両ガイド体５４ｄ、５５ｄのガイド動作を利用することにより、本体側排水連結具本体５５ｂのラッパ状の先端に洗浄槽側排水連結具本体５４ｂの先端が、より一層同心位置に連結される。
また、本体側排水連結具本体５５ａの先端に弾性材で形成された排水止水パッキン６０を排水止水パッキン押え５９で装着し、本体側給水連結具本体５５ａの先端と洗浄槽側排水連結具本体５４ｂの先端との連結の際に排水止水パッキン６０を介在させることにより止水が行われる。
【００６１】
さらに、排水止水パッキン６０に洗浄槽側排水連結具本体５４ｂの先端に水密状に密着するリップ部６０ａを設けて排水止水パッキン６０の止水有効範囲を比較的長めに設定することによって両連結具の前後方向の位置ずれを吸収することができる。
また、排水止水パッキン６０の止水有効範囲を、ドア開閉検知装置９の収納状態検知範囲より長めに設定することにより、洗浄槽３の引き出し操作に伴う各種電気部品の動作停止以後に排水止水パッキン６０が洗浄槽側排水連結具出口５４ｅと離れるようになり、排水機構５２の大きな課題である連結部分の漏水を、確実に防止することができる。
さらに、両連結具が切離された状態において、止水機能が発揮される止水弁５８、６１を洗浄槽側排水連結具本体５４ｂと本体側排水連結具本体５５ａの両通水口に装着したことにより、排水機構５２の大きな課題である連結部分の漏水を、確実に防止することができる。
また、洗浄槽側排水連結具５４と本体側排水連結具５５は洗浄槽３内に貯えられる洗浄水の水位より上方に配置されているので、洗浄槽３内に貯えられる洗浄水が排水ポンプ５１やこれら洗浄槽側排水連結具５４と本体側排水連結具５５を通って外部に流れ出ることが防止される。
【００６２】
（実施の形態１の給水機構と排水機構の効果）
この実施の形態１の食器洗浄機においては、食器洗浄機本体２に設けられた本体側給水連結具３４と洗浄槽３に設けられた洗浄槽側給水連結具３５とで給水機構３３が構成され、食器洗浄機本体２に対し洗浄槽３が前後方向にスライド移動するのに伴い、本体側給水連結具３４と洗浄槽側給水連結具３５とが連結、切離しを行って給水路の開閉が行われ、本体側給水連結具本体３４と洗浄槽側給水連結具本体３５との連結の際に両者の連結部分に連結部分を止水する弾性材で形成された止水手段である給水止水パッキン４０を設けたことにより止水が行われると共に、洗浄槽３に設けられた洗浄槽側排水連結具５４と、食器洗浄機本体２に設けられた本体側排水連結具５５とで排水機構５２が構成され、食器洗浄機本体２に対し洗浄槽３が前後方向にスライド移動するのに伴い、本体側排水連結具５５と洗浄槽側排水連結具５４とが連結、切離しを行って排水路の開閉が行われ、本体側排水連結具本体５５と洗浄槽側排水連結具本体５４との連結の際に両者の連結部分に連結部分を止水する弾性材で形成された止水手段である排水止水パッキン６０を設けたことにより、給水機構３３の本体側給水連結具３４と洗浄槽側給水連結具３５の連結時及び排水機構５２の本体側排水連結具５５と洗浄槽側排水連結具５４の連結時に止水が確実に行われることとなる。
また、給水機構３３の本体側給水連結具３４と洗浄槽側給水連結具３５とを切離し、排水機構５２の本体側排水連結具５５と洗浄槽側排水連結具５４とを切離すことができるので、洗浄槽３及び洗浄槽３に具備されている部品のメンテナンスが容易となり、従来のような給水ホース及び排水ホースの破損による漏水という問題が生ぜず、食器洗浄機本体２内のスペースを効果的に利用可能にしている。
【００６３】
図３０は同食器洗浄機の制御装置の電気的な構成を示すブロック図である。
図３０に基づいて制御装置１８の機能について説明する。
制御装置１８は、食器洗浄機１の動作を統括制御するＣＰＵ（中央処理装置）と、ＣＰＵが実行するプログラムや各種固定データを記憶しているＲＯＭと、ＣＰＵがプログラムを実行する際に各種データを一時的に格納するワークメモリとして機能するＲＡＭとを主要部とした回路で構成されている。
この制御装置１８は、操作部５（タッチパネル等により表示部５ａと一体的としているのであれば表示部５ａも含む）からのユーザ指示や各検知装置（ドア開閉検知装置９、水位検知装置２０及び水温検知素子２１）からの信号に基づいて、洗浄ポンプ１３や排水ポンプ５１、湯沸ヒータ１４、送風機１５、給水弁３２等を制御するようになっている。
即ち、制御装置１８は、ユーザからの指示や予め設定されている情報に基づいて、各種機器を制御しながら洗浄運転を実行する。
【００６４】
（食器洗浄機の基本動作）
本発明の実施の形態１に係る食器洗浄機の基本動作について説明する。
まず、前扉６に設けられた取っ手４を手で掴み、洗浄槽３を食器洗浄機本体２より引き出し、食器収納口３ａより、洗浄、乾燥したい被洗浄物９８を、洗浄槽３内に装着された食器かご１０に載置し、その近傍に適量の洗剤を入れ、洗浄槽３を食器洗浄機本体２内に収納する。このとき、前扉６も閉じられる。なお、洗浄槽３を食器洗浄機本体２内に収納する前に、食器洗浄機本体２内に装着されている開閉蓋１１にて、洗浄槽３の食器収納口３ａを閉塞しておく。
【００６５】
次に、操作部５に設けられた電源スイッチ１９ａを押すと共にスタート／一時停止スイッチ１９ｂを押し、機器の動作を開始させるわけだが、ドア開閉検知装置９が、洗浄槽３が食器洗浄機本体２内に収納され、それに伴い前扉６が閉じらされていることを検出しない限り、各種電気部品を動作させぬよう構成されている。これは、安全性を確保するための工夫である。
なお、上記の制御を含め、機器の制御全般については制御装置１８が司り、その情報伝達により各種電気部品を制御し、洗浄、すすぎ、加熱すすぎ、乾燥の各工程が順に進められる。
【００６６】
最初の工程である洗浄工程が開始されると、給水弁３２が開かれ、洗浄槽３内への給水を行う。このとき、洗浄槽３内の水位は、水位検知装置２０にて監視されており、所定の水位に達したことを検知すると、制御装置１８は給水弁３２を閉じる。
ついで、制御装置１８は湯沸しヒーター１４に通電し、貯えられた洗浄水を加熱すると共に、洗浄ポンプ１３に通電し、その洗浄水に圧力を与えて回転ノズル１２を回転させ、被洗浄物９８に洗浄水を噴きかける。
なお、洗浄は貯えられた洗浄水を循環しながら行うもので、洗浄槽３の底部へ落下した洗浄水を集め、再び洗浄ポンプ１３にて圧力を与え、回転ノズル１２により被洗浄物９８に洗浄水を噴きかけることを繰り返すものである。
【００６７】
洗浄水温は、水温検知素子２１にて監視されており、所定の温度に達したことを検知すると、制御装置１８は湯沸しヒーター１４の通電を停止する。
なお、その洗浄水温は、洗剤の能力が最大限に発揮できる温度にするのが通常で、概ね６０℃程度に設定される。
洗浄工程が開始され、所定の時間が経過すると、制御装置１８は湯沸しヒーター１４、洗浄ポンプ１３の通電を停止すると共に、排水ポンプ５１に通電し、洗浄槽３内に貯えられた洗浄水を食器洗浄機１の外部に排水する。
これにより、洗浄工程が終了する。
【００６８】
つづいて、すすぎ工程が開始されるわけだが、基本的な動作はほぼ洗浄工程と同様で、まず、制御装置１８は給水弁３２を開き、洗浄槽３内への給水を行い、水位検知装置２０にて所定の水位に達したことを検知し、給水弁３２を閉じる。
次に、洗浄ポンプ１３に通電し、そのすすぎ水に圧力を与えて回転ノズル１２を回転させ、被洗浄物９８にすすぎ水を噴きかける。
そして、所定の時間が経過すると、制御装置１８は洗浄ポンプ１３の通電を停止すると共に、排水ポンプ５１に通電し、洗浄槽３内に貯えられたすすぎ水を外部に排水する。このようなすすぎ工程は、数回繰り返される。
なお、数回繰り返されるすすぎ工程の中に、湯沸しヒーター１４によりすすぎ水の加熱を行う、加熱すすぎ工程を加えても良い。
【００６９】
上記のような洗浄、すすぎ工程が完了すると、最後の工程である乾燥工程が開始される。
まず、制御装置１８は送風機１５に通電すると共に、乾燥用ヒーター１６に通電し、送風機１５により送風される空気を加熱し温風に変え、送風路１７から被洗浄物９８に噴きかける。
ついで、送風路１７から送り込まれた温風は、洗浄槽３内部を通過し、前扉６の上部に設けられた排気口２２から、食器洗浄機１の外部へ排出される。
【００７０】
実施の形態２．
以下、本発明の実施の形態２を図面に基づいて説明する。
図３１は本発明の実施の形態２の食器洗浄機の止水パッキンを用いた給水機構及び排水機構の連結が完了した状態を示す概略縦断面図、図３２は同食器洗浄機の止水パッキンを用いた給水機構及び排水機構の連結が開始される状態を示す概略縦断面図、図３３は同食器洗浄機の止水パッキンを用いた給水機構及び排水機構の連結途中の状態を示す概略縦断面図、図３４は同食器洗浄機の止水パッキンのリップ部にリングバネを装着した状態を示す概略縦断面図である。
上述した実施の形態１の食器洗浄機は給水機構と排水機構の構成が異なるものであるが、この実施の形態２の食器洗浄機は給水機構と排水機構の構成が同じであり、そのため止水パッキンの構成が給水機構及び排水機構の両者に通ずるものであるから、給水、排水の違いにとらわれず、その機能に着目し説明して行く。
【００７１】
（連結具）
この実施の形態２の食器洗浄機の連結具７２は、図３１に示すように、食器洗浄機本体２の後方側に固着されている本体側連結具７３と、洗浄槽２の後方側に固着されている洗浄槽側連結具７４と、その両連結具の連結部分の漏水を防止するための止水パッキン７１とにより構成されている。
この連結具７２は、食器洗浄機本体２に対し洗浄槽３が、前後方向にスライド移動するのに伴い、通水路の連結、切離しを行う方式のものである。
なお、止水パッキン７１は、本体側連結具７３、洗浄槽側連結具７４のどちらの連結具に装着してもかまわないが、ここでは、本体側連結具７３に装着するものとして、以降の説明を進めていく。
【００７２】
（本体側連結具及び洗浄槽側連結具）
本体側連結具７３は、図３１に示すように、大径筒状の本体側連結具本体７３ａと、本体側連結具本体７３ａの後端側に設けられ、食器洗浄機本体２に具備された機能部品である例えば、給水弁３２に繋ぐ送水管７６に接続される本体側連結具通水口７３ｂと、本体側連結具本体７３ａの先端側に設けられ、止水パッキン７１を装着するためのパッキン装着穴７３ｃとから構成されている。
洗浄槽側連結具７４は、図３１に示すように、本体側連結具本体７３ａ内に遊嵌状態に挿入される筒状の洗浄槽側連結具本体７４ａと、洗浄槽側連結具本体７４ａの外周に設けられた洗浄槽側連結具止水板７４ｂと、洗浄槽側連結具本体７４ａの後端側に設けられ、洗浄槽３に具備された機能部品である例えば、洗浄槽３につなぐ送水管７６に接続される洗浄槽側連結具通水口７４ｃとから構成されている。
なお、洗浄槽側連結具本体７４ａの先端は、面が取られており、先端側の径は、後述する止水パッキン７１のリップ部７１ａの内径より、小さい径となっている。
【００７３】
（止水パッキン）
本体側連結具７３に装着される軟質素材の止水パッキン７１は、図３１に示すように、弾性体でラッパ状に形成された止水パッキン本体７１ａと、止水パッキン本体７１ａの一端側に形成され、洗浄槽側連結具７４の筒状の洗浄槽側連結具本体７４ａに水密状態に密着させられるリップ部７１ｂと、止水パッキン本体７１ａの他端側に形成され、本体側連結具７３のパッキン装着穴７３ｃに装着される断面Ｕ字状の装着体７１ｃと、装着体７１ｃの外側に形成されたシール体７１ｄとから構成されている。
なお、止水パッキン７１の装着体７１ｃの装着部分の止水は、素材自身の軟質性を活かして行っている。
【００７４】
上記実施の形態１にも示したが、本体側連結具７３と洗浄槽側連結具７４とにより構成されたる連結具７２は、洗浄槽３が食器洗浄機本体２内部に収納される時に生ずる位置ずれを吸収する工夫が要求される。
これは、両連結具の連結部分の漏水を防止する方法が、洗浄槽側連結具７４に形成された洗浄槽側連結具本体７４ａの外周面を、止水パッキン７１に形成されたリップ部７１ｂが水密状態に密着することで成立するものであり、これを確実なものとするためには、両連結具の同心をしっかり取り、リップ部７１ｂに偏った力を加えず、リップ部７１ｂが異常に変形することを防ぐ必要があるからである。
上記実施の形態１では、両連結具に形成した雄型と雌型のガイド体を活用し、洗浄槽側連結具７４を可動させ、両連結具の同心位置を得る方法を取ったが、上記に示した、止水パッキン７１に形成した弾性体で形成された止水パッキン本体７１ａは、この位置ずれを吸収する上で有効に作用する。
【００７５】
次に、上記実施の形態２についての位置ずれ吸収、止水、水垂防止について説明する。
図３２に示すように、本体側連結具７３と洗浄槽側連結具７４との連結が開始されると、洗浄槽側連結具７４に形成された洗浄槽側連結具本体７４ａが本体側連結具７３に装着された止水パッキン７１の内側を進み、やがて、図３３に示すように、洗浄槽側連結具本体７４ａの先端が止水パッキン７１のリップ部７１ｂまで到達する。
このとき、両連結具に位置ずれが生じていたとしても、洗浄槽側連結具本体７４ａの先端には面が取られており、その先端の径は、リップ部７１ｂの内径より小さい径となっているため、洗浄槽側連結具本体７４ａの先端が、リップ部７１ｂの内径を引っ掛けるがごとく誘い込むことになる。
仮に、止水パッキン７１の形状が、単純なドーナツ状のものであったなら、両連結具の位置ずれ分、肝心のリップ部７１ａが引っ張られ、楕円状に変形することが考えられる。
【００７６】
しかし、止水パッキン７１には、本体側連結具７３に形成されたパッキン装着用穴７３ｃに装着された装着体７１ｃとリップ部７１ａとの間に、弾性体で形成されたパッキン本体７１ａが形成されているので、パッキン本体７１ａは撓むように可動し、装着体７１ｃとはまったく無関係にリップ部７１ｂは動き（振れ）、肝心のリップ部７１ｂの形を維持したまま、洗浄槽側連結具本体７４ａの位置ずれ分に追従するような動きが取れる。
これにより、止水パッキン７１を十分に機能させることができ、両連結具の連結部分の漏水を確実に防止することができる。
【００７７】
つぎに、図３１に示すように、本体側連結具７３に装着された止水パッキン７１に形成されたシール体７１ｄを、洗浄槽側連結具７４に形成された洗浄槽側連結具止水板７４ｂに密着させることで成立する第２の止水機能について説明する。
これは、先に触れたリップ部７１ｂによる止水を補う意味で設けたもので、この方式は、両連結具の連結、切離し動作に与える荷重的な負荷が少なく、かつ、止水機能を満足するため第２の止水機能として有効な方式である。
【００７８】
なお、洗浄槽３が食器洗浄機本体２内部に収納される時に生ずる位置ずれに対し、シール体７１ｄの径と、洗浄槽側連結具止水板７４ｂの径との差を大きく取れば、上下左右方向の２軸の位置ずれに対して対応でき、シール体７１ｄのたわみ量を大きく取れば、前後方向の位置ずれに対しても対応できるものである。
これにより、止水パッキン７１を十分に機能させることができ、両連結具の連結部分の漏水を確実に防止することができる。
図３４は実施の形態２の食器洗浄機の止水パッキン７１のリップ部７１ｂの周囲にオイルシール等に用いられるリングバネ７５を装着した状態を示す。
このように、止水パッキン７１のリップ部７１ｂの周囲にリングバネ７５を装着することにより、より一層のリップ部７１ｂの形状維持を図ることができる。
【００７９】
図３５〜図３８は実施の形態２の食器洗浄機の別の形態の止水パッキンを用いた給水機構及び排水機構の連結が完了した状態、連結が開始される状態及び連結途中の状態をそれぞれ示す概略縦断面図、図３８は同食器洗浄機の別の形態の止水パッキンのリップ部にリングバネを装着した状態を示す概略縦断面図である。
この実施の形態２の食器洗浄機の別の形態の止水パッキン７１はパッキン本体７１ａを蛇腹状に形成したもので、他の部材であるリップ部７１ｂ、装着体７１ｃ及びシール体７１ｄの構成は図３１〜図３３に示す止水パッキン７１と同様である。
このように、止水パッキン７１のパッキン本体７１ａを蛇腹状に形成することにより、両連結具の位置ずれ分をより一層吸収することができる。
また、図３８に示すように、蛇腹状のパッキン本体７１ａを有する止水パッキン７１のリップ部７１ｂの周囲にリングバネ７５を装着することにより、より一層のリップ部７１ｂの形状維持を図ることができる。
【００８０】
（実施の形態２の効果）
以上の通り、この実施の形態２の食器洗浄機１の連結具７２は、食器洗浄機本体２の後方側に固着されている本体側連結具７３と、洗浄槽２の後方側に固着されている洗浄槽側連結具７４と、その両連結具の連結部分の漏水を防止するための止水パッキン７１とにより構成され、食器洗浄機本体２に対し洗浄槽３が前後方向にスライド移動するのに伴い、本体側連結具７３と洗浄槽側連結具７４が連結、切離しを行って給・排水路の開閉が行われる。
そして、食器洗浄機本体２に固着された本体側連結具７３の大径の本体側連結具本体７３ａのパッキン装着用穴７３ｃに装着された止水パッキン７１のリップ部７１ｂに、洗浄槽３に固着された洗浄槽側連結具７４の洗浄槽側連結具本体７４ａの先端が到達してさらに押し込まれると、両連結具に位置ずれが生じていたとしても、止水パッキン７１の装着体７１ｃとリップ部７１ａとの間に、弾性体で形成されたラッパ状のパッキン本体７１ａが撓むように可動し、リップ部７１ｂはその形を維持したまま、洗浄槽側連結具本体７４ａの位置ずれ分に追従するような動きが取れるため、止水パッキン７１を十分に機能させることができ、両連結具の連結部分の漏水を確実に防止することができる。
また、止水パッキン７１に形成されたシール体７１ｄを、洗浄槽側連結具７４に形成された洗浄槽側連結具止水板７４ｂに密着させることで成立する第２の止水機能を設けたことで、リップ部７１ａによる止水を補うことができる。
なお、上記実施の形態２では、本体側連結具７３を食器洗浄機本体２に固着し、洗浄槽側連結具７４を洗浄槽３に固着し、給水機構として説明しているが、排水機構としても使用できることはいうまでもない。
【００８１】
実施の形態３．
図３９は本発明の実施の形態３の食器洗浄機の送風路に給水機構の一部を構成したものを示す背面図、図４０は同食器洗浄機の送風路に給水機構の一部を構成したものを示す概略縦断面図、図４１は同食器洗浄機の送風路に別の形態の給水機構の一部を構成したものを示す概略縦断面図である。（開口を下方に向けて形成）
本発明の実施の形態３に係る食器洗浄機の基本構成について、実施の形態１にて説明してきた構成と同じ構成の内容については省略し、この実施の形態３の特徴事項に関連する部分についてのみ詳細に説明する。
【００８２】
この実施の形態３は、食器洗浄機１の乾燥風を洗浄槽送風口まで導く送風路に給水機構の一部を構成したものである。
被洗浄物９８を乾燥させるための乾燥風を発生させる送風機１５と、その乾燥風を加熱するための乾燥用ヒーター１６と、送風機１５及び乾燥用ヒーター１６を内蔵するケーシング８１と、洗浄槽３に形成された洗浄槽送風口３ｄまで乾燥風を導く送風路１７とにより乾燥手段が構成されている。その乾燥手段の送風路１７は洗浄槽３の後方側に固着されている。
なお、乾燥手段を大きく捉えれば、洗浄槽３の内部に生じた高温湿潤空気を、食器洗浄機１の外部へ排出するための、前扉６の上部に設けられた排気口２２も含まれるとも言える。
【００８３】
ここで、送風路１７について、もう少し詳しく説明する。
洗浄槽３内には洗浄水が貯えられるわけだが、その洗浄水が、電気部品類（乾燥用ヒーター１６や送風機１５）に、悪影響を与えぬよう、その電気部品類を内蔵するケーシング８１は、洗浄槽３の比較的高い位置に配置されている。
送風路１７は、ケーシング８１と洗浄槽送風口３ｄとの間に装着されて乾燥風を洗浄槽３へと導くもので、上記に示した配置条件より、上下にわたり筒状に形成されている。
なお、洗浄槽３の内側には送風路１７の下端が覗くだけで、送風路１７のほとんどの部分は洗浄槽３の後壁の外に配置されている。
【００８４】
（給水機構を構成する本体側給水連結具及び洗浄槽側給水連結具）
この実施の形態３においては、給水機構は以下のように構成されている。
この実施の形態３の給水機構も、食器洗浄機本体２に対し洗浄槽３が前後方向にスライド移動するのに伴い給水路の連結、切離しを行う点では実施の形態１，２と同じである。  この実施の形態３の給水機構の一方を構成する本体側給水連結具３４は、図３９，図４０に示す如く、給水路の開閉動作を行う給水弁３２の給水弁出口３２ａに直接接続される本体側給水連結具入口３４ａと、本体側給水連結具入口３４ａと一体に連設され、外周に止水板を有する筒状の本体側給水連結具本体３４ｂと、本体側給水連結具本体３４ｂの止水板に設けられた本体側給水連結具取付体３４ｃとにより構成されている。
そして、本体側給水連結具３４は、その本体側給水連結具取付体３４ｃに食器洗浄機本体２を貫通したネジで締結されて食器洗浄機本体２の後方側に固着されている。
【００８５】
この実施の形態３の給水機構のもう一方を構成する洗浄槽側給水連結具３５は、図４０に示す如く、送風路１７に直接形成した洗浄槽側給水連結具入口３５ａと、洗浄槽側給水連結具入口３５ａに装着された、本体側給水連結具本体３４ｂと洗浄槽側給水連結具本体３５ａとの間の漏水を防止するための給水止水パッキン７１とにより構成されている。
なお、洗浄槽側給水連結具３５としても活用する送風路１７の取り付け部には、洗浄槽３内に貯えられた洗浄水が漏水せぬよう止水構造も取られているため、ガイド体を活用し連結具を可動させる位置ずれ吸収方法が取り難い。
従って、給水止水パッキン７１は、給水止水パッキン７１の装着体７１ｃとリップ部７１ｂとの間に、本体側給水連結具本体３４ｂの位置ずれ分に追従するような動きが取れる弾性体で形成されたパッキン本体７１ｃを設けるようにし、実施の形態２に示す止水パッキン７１と同様な構成とした。
【００８６】
つづいて、洗浄槽側給水連結具３５に、なぜ送風路１７を活用したか、その背景について説明する。
他の実施の形態でも示した通り、給水機構３３を構成するには、通水路の働きを持たせたなんらかの専用部品を設ける必要があり、実施の形態１では、それが洗浄槽側給水連結具３５であったわけだが、部品が増加するとともに、漏水が心配される接続箇所の増加にもつながるため、極力少ない部品点数で構成すべきであるとされた。
【００８７】
上記のようなことを踏まえた場合、送風路１７は、従来の食器洗浄機１にも装着されているような部品であり、予め止水構造も取られており、何より、洗浄槽側給水連結具本体３５ａのために形成する通水口を設けても、高さ方向の位置さえ配慮すれば、洗浄水の漏水も心配することなく、食器洗浄機１を構成する部品群の中で、洗浄槽側給水連結具３５として活用するにあたり、まったく障害のない部品だからである。
なお、上記でも触れたが、洗浄槽側給水連結具本体３５ａを形成する位置は、漏水防止の観点から、洗浄水の水位の上方とすることが必要で、この上方の位置は、ユーザーにはまったく分からない洗浄槽３の後壁の外となるため、ユーザーの清掃等で、この洗浄槽側給水連結具本体３５ａに装着された給水止水パッキン７１を破損してしまうなどの心配もない。
【００８８】
最後に、給水弁出口３２ａに直接接続された本体側給水連結具３４の本体側給水連結具本体３４ｂの先端の開口方向について説明する。
上記に示した通り、送風路１７の上流である上方には、乾燥用ヒーター１６や送風機１５等の電気部品が配置されており、これら電気部品は水を大変嫌う。
そこで、図４１に示すように、別の形態の給水機構の一部を構成する本体側給水連結具３４として、その本体側給水連結具本体３４ｂの先端の開口を下方に向けて形成し、乾燥用ヒーター１６や送風機１５等の電気部品に洗浄水が行かないようにしている。
食器洗浄機１の動作や、給水機構３３の動作や、給水止水パッキン７１の働きについては、実施の形態１及び２にて説明してきたので省略する。
【００８９】
（実施の形態３の効果）
以上の通り、この実施の形態３の食器洗浄機１は、乾燥風を洗浄槽送風口３ｄまで導く送風路１７に、洗浄槽側給水連結具３５を直接形成するようにしたことで、給水機構３３を構成する部品点数を削減できるとともに、漏水が心配される接続箇所の削減も図れる。
また、送風路１７に形成する洗浄槽側給水連結具３５の位置を、洗浄水の水位の上方とし、かつ、この位置は、ユーザーにはまったく分からない洗浄槽３の後壁の外となるため、洗浄水の漏水を防止でき、かつ、給水止水パッキン７１の破損等を防止することができる。
また、本体側給水連結具３４の本体側給水連結具本体３４ｂの先端の開口を、下方に向けて形成したことで、乾燥用ヒーター１６や送風機１５等の電気部品の故障等を防止することができる。
【００９０】
実施の形態４．
図４２は本発明の実施の形態４の食器洗浄機の排水トラップに排水機構の一部を構成したものを示す正面図、図４３は同食器洗浄機の排水トラップに排水機構の一部を構成したものを示す背面図、図４４は同食器洗浄機の排水トラップに排水機構の一部を構成したものを表す食器洗浄機後部の概略縦断面図である。
本発明の実施の形態３に係る食器洗浄機の基本構成について、実施の形態１にて説明してきた構成と同じ構成の内容については省略し、この実施の形態４の特徴事項に関連する部分についてのみ詳細に説明する。
【００９１】
（排水トラップ）
この実施の形態４は、食器洗浄機１の排水トラップに排水機構の一部を構成したものである。
排水トラップ５６は、下水等から侵入する、悪臭や害虫の侵入を防止することを目的に設けられるもので、略Ｕ形に形成された封水路５６ａに、常時適量の排水を貯めておくことで、その機能を発揮するものである。
なお、この貯められた排水の高さを封水深と言い、その高さについては、法的な規定もある。
【００９２】
（排水機構を構成する洗浄槽側排水連結具及び本体側排水連結具）
排水機構５２の形態は、食器洗浄機本体２に対し洗浄槽３が、前後方向にスライド移動するのに伴い、排水路の連結、切離しを行うものと同じで、その一方を構成する洗浄槽側排水連結具５４は、実施の形態１にて説明したものと同様に構成されている。
【００９３】
もう一方を構成する本体側排水連結具５５は、図４２〜図４４に示す如く、排水トラップ５６に直接形成した本体側排水連結具本体５５ａと、本体側排水連結具本体５５ａの先端内側に排水止水パッキン押さえ５９を用いて装着された排水止水パッキン６０と、排水トラップ５６の内部に装着され、逆流防止の機能を持つ本体側排水連結具止水弁６１と、本体側排水連結具本体５５ａの基端内側に設けられた軸６２ａを有する本体側排水連結具止水板６２と、食器洗浄機本体２への取り付けに用いる排水トラップ取付体５６ｂと、洗浄槽側排水連結具５４との連結時に、両連結具の同心位置を得るための本体側排水連結具ガイド体５５ｄとにより構成されている。
この本体側排水連結具５５は、その排水トラップ取付体５６ｂに食器洗浄機本体２を貫通したネジで締結されて食器洗浄機本体２の後方側に固着されている。
【００９４】
つづいて、本体側排水連結具５５に、なぜ排水トラップ５６を活用したか、その背景について説明する。
他の実施の形態でも示した通り、排水機構５２を構成するには、通水路の働きを持たせた、なんらかの専用部品を設ける必要があり、実施の形態１では、それが本体側排水連結具５５であったわけだが、部品が増加するとともに、漏水が心配される接続箇所の増加にもつながるため、極力少ない部品点数で構成すべきである。
上記のようなことを踏まえた場合、排水トラップ５６は、従来の食器洗浄機１にも装着されているような部品であり、食器洗浄機１を構成する部品群の中で、本体側排水連結具５５として活用するにあたり、まったく障害のない部品だからである。
【００９５】
（水垂れ防止）
洗浄槽側排水連結具本体５４ｂ及び本体側排水連結具本体５５ａからの水垂れを防止する方法については、本体側排水連結具止水弁６１の装着位置が、排水トラップ５６の内部になり、本体側排水連結具止水板６２の機能を、排水トラップ５６を形成する壁に持たせたことが相違点であり、実施の形態１にて説明したものと同様に機能するものである。
食器洗浄機１の動作や、排水機構５２の動作や、排水止水パッキン６０の働きについては、実施の形態１にて説明してきたので省略する。
【００９６】
（実施の形態４の効果）
以上の通り、この実施の形態４の食器洗浄機１は、悪臭や害虫の侵入を防止することを目的に設けられている排水トラップ５６に、本体側排水連結具５５を直接形成したことで、排水機構５２を構成する部品点数を削減できるとともに、漏水が心配される接続箇所の削減も図ることができる。
【００９７】
実施の形態５．
図４５は本発明の実施の形態５の食器洗浄機の構成を示す概略縦断面図、図４６は同食器洗浄機の正面図、図４７は同食器洗浄機の槽開装置のスライドシャフトの動作により洗浄槽が前方側にスライド移動して給水機構と排水機構の切離し直前の状態を示す概略縦断面図、図４８は同食器洗浄機の槽開装置のスライドシャフトの動作により洗浄槽が前方側にスライド移動して給水機構と排水機構とが切離された状態を示す概略縦断面図である。
本発明の実施の形態５に係る食器洗浄機の基本構成について、実施の形態１にて説明してきた構成と同じ構成の内容については省略し、この実施の形態５の特徴事項に関連する部分についてのみ詳細に説明する。
【００９８】
この実施の形態５は、食器洗浄機１に洗浄槽３の引き出し操作性向上のために、引き出し時に洗浄槽３に動力を与えるための槽開装置８６を洗浄槽３の下方に設けたものである。
即ち、この実施の形態５の食器洗浄機１には、前扉６の操作部５に設けられた「ＯＰＥＮ」ボタン８８と、洗浄槽３の引き出し時に洗浄槽３に動力を与えるための槽開装置８６とが設けられている。
なお、当然その他多くの機能部品をもって、食器洗浄機１は構成されているわけだが、ここではその説明を省略する。
【００９９】
（槽開装置）
その槽開装置８６は、モータに連結されたピニオンが回転することで、ピニオンのギア動作により前後にスライドするスライドシャフト８７を備えており、スライドシャフト８７のスライド動作により、洗浄槽３を食器洗浄機本体２から引き出す際に、ユーザの引出作業を補助する動力を洗浄槽３に加えるようにしている。
【０１００】
（食器洗浄機の基本動作）
本発明の実施の形態５に係る食器洗浄機の基本動作について説明する。
なお、ここでも、本発明の実施の形態５の特徴事項に関連する部分についてのみ詳細に説明する。
【０１０１】
まず引き出し操作だが、今まで述べてきた標準的な食器洗浄機１の引き出し操作は、前扉６に設けられている取っ手４を手で掴み行われたが、より引き出し操作性を向上させるために、この実施の形態５のように、槽開装置８６を付加した食器洗浄機１においては、操作部５に設けた「ＯＰＥＮ」ボタン８８を押すことで、槽開装置８６が動作し、引き出し操作が行われる。
即ち、ユーザが操作部の「ＯＰＥＮ」ボタン８８を押下すると、その旨の操作信号が制御装置１８に出力される。制御装置１８はまず給水弁３２及び排水ポンプ５１の動作を停止させ、次にモータを正回転方向に駆動し、そのモータの正回転により、スライドシャフト８７が飛び出し、これにより洗浄槽３に前方向のスライド動力が加えられる。
制御装置１８はスライドシャフトが所定の飛び出し位置に到達したことを飛び出し位置検出装置が検出すると、モータの正回転駆動を停止させる。
次に、制御装置１８は、飛び出し位置検出装置からの検出信号がなくなると、モータを逆回転方向に駆動し、そのモータの逆回転により、スライドシャフトは元の位置の方向にスライドする。
制御装置は、スライドシャフトが所定のスタンバイ位置に到達したことをスタンバイ位置検出装置が検出するまで、モータの逆回転駆動を継続し、スタンバイ位置検出装置より検出信号を受け取ると、モータを停止させる。
かかる動作は、運転開始時に限らず、運転途中に行われる食器追加時についても同様である。
なお、この動きに合わせ、他の実施の形態にて説明してきた、給水機構３３及び排水機構５２は切離されることになる。
食器洗浄機１の動作は、これ以降進んでいくわけだが、ここではその説明を省略する。
【０１０２】
従って、このタイプの食器洗浄機１は、一連の引き出し操作が、制御装置１８の制御下で行われるため、「ＯＰＥＮ」ボタン８８を押した時点で、各種電気部品である例えば給水弁３２及び排水ポンプ５１の動作を停止することができ、「ＯＰＥＮ」ボタン８８が押されてから、洗浄槽３の引き出し動作を開始するまでの時間は、自由に設定することができる。
これは、ドア開閉検知装置９のみの働きで各種電気部品の動作を停止していた標準的な食器洗浄機１と異なり、食器洗浄機本体２に対し洗浄槽３が、前後方向にスライド移動するのに伴い、通水路の連結、切離しを行う給水機構３３及び排水機構５２を構成する上で有効に作用する。
槽開装置８６は、ラックとピニオンを利用した動力伝達機構を用いているが、それ以外の動力伝達機構として、例えばカム機構を用いたり、リニア機構を用いる等多様な構成を取り得る。
【０１０３】
（実施の形態５の効果）
以上の通り、この実施の形態５の食器洗浄機１は、食器洗浄機本体２に対し洗浄槽３が前後方向にスライド移動するのに伴い、通水路の連結、切離しを行う給水機構３３及び排水機構５２と、「ＯＰＥＮ」ボタン８８を押すことにより洗浄槽３の引き出し操作が行える槽開装置８６とを併用することで、引き出し操作に伴う各種電気部品の動作停止制御から、引き出し動作、即ち給水機構３３及び排水機構５２の切離し動作までの間に、各種電気部品の完全停止を待つ時間を設けることにより、給水機構３３及び排水機構５２の大きな課題である連結部分の漏水を、確実に防止することができる。
なお、上記に示した待ち時間の設定値を、排水ポンプ５１の回転が完全に停止するまでの時間以上とすれば、なお有効である。
【図面の簡単な説明】
【０１０４】
（実施の形態１）
【図１】本発明の実施の形態１の食器洗浄機の構成を示す概略縦断面図。
【図２】同食器洗浄機の正面図。
【図３】同食器洗浄機の構成を示す背面部分の断面図。
【図４】同食器洗浄機の設置状態の一例を示すシステムキッチンの斜視図。
【図５】同食器洗浄機の洗浄槽が引き出されている状態を示すシステムキッチンの斜視図。
【図６】同食器洗浄機の給水機構が切離された状態を示す概略縦断面図。
【図７】同食器洗浄機の給水機構が連結された状態を示す概略縦断面図。
【図８】同食器洗浄機の給水機構の分解状態を示す斜視図。
【図９】同食器洗浄機の給水機構を構成する本体側給水連結具を示す正面図。
【図１０】同食器洗浄機の給水機構を構成する洗浄槽側給水連結具を示す正面図。
【図１１】同食器洗浄機の給水機構の連結が開始される状態を示す概略横断面図。
【図１２】同食器洗浄機の給水機構の連結途中の状態を示す概略横断面図。
【図１３】同食器洗浄機の給水機構の連結が完了した状態を示す概略横断面図。
【図１４】同食器洗浄機の給水機構の連結が開始される状態を示す概略縦断面図。
【図１５】同食器洗浄機の給水機構の連結途中の状態を示す概略縦断面図。
【図１６】同食器洗浄機の給水機構の連結が完了した状態を示す概略縦断面図。
【図１７】同食器洗浄機の給水弁出口を本体側給水連結具本体のように形成した給水機構が切離された状態を示す概略縦断面図。
【図１８】同食器洗浄機の給水弁出口を本体側給水連結具本体のように形成した給水機構が連結された状態を示す概略縦断面図。
【図１９】同食器洗浄機の排水機構が切離された状態を示す概略縦断面図。
【図２０】同食器洗浄機の排水機構が連結された状態を示す概略縦断面図。
【図２１】同食器洗浄機の排水機構の分解状態を示す斜視図。
【図２２】同食器洗浄機の排水機構を構成する洗浄槽側排水連結具を示す正面図。
【図２３】同食器洗浄機の排水機構を構成する本体側排水連結具を示す正面図。
【図２４】同食器洗浄機の排水機構の連結が開始される状態を示す概略横断面図。
【図２５】同食器洗浄機の排水機構の連結途中の状態を示す概略横断面図。
【図２６】同食器洗浄機の排水機構の連結が完了した状態を示す概略横断面図。
【図２７】同食器洗浄機の排水機構の連結が開始される状態を示す概略縦断面図。
【図２８】同食器洗浄機の排水機構の連結途中の状態を示す概略縦断面図。
【図２９】同食器洗浄機の排水機構の連結が完了した状態を示す概略縦断面図。
【図３０】同食器洗浄機の制御装置の電気的な構成を示すブロック図。（実施の形態２）
【図３１】本発明の実施の形態２の食器洗浄機の止水パッキンを用いた給水機構及び排水機構の連結が完了した状態を示す概略縦断面図。
【図３２】同食器洗浄機の止水パッキンを用いた給水機構及び排水機構の連結が開始される状態を示す概略縦断面図。
【図３３】同食器洗浄機の止水パッキンを用いた給水機構及び排水機構の連結途中の状態を示す概略縦断面図。
【図３４】同食器洗浄機の止水パッキンのリップ部にリングバネを装着した状態を示す概略縦断面図。
【図３５】同食器洗浄機の別の形態の止水パッキンを用いた給水機構及び排水機構の連結が完了した状態を示す概略縦断面図。
【図３６】同食器洗浄機の別の形態の止水パッキンを用いた給水機構及び排水機構の連結が開始される状態を示す概略縦断面図。
【図３７】同食器洗浄機の別の形態の止水パッキンを用いた給水機構及び排水機構の連結途中の状態を示す概略縦断面図。
【図３８】同食器洗浄機の別の形態の止水パッキンのリップ部にリングバネを装着した状態を示す概略縦断面図。（実施の形態３）
【図３９】本発明の実施の形態３の食器洗浄機の送風路に給水機構の一部を構成したものを示す背面図。
【図４０】同食器洗浄機の送風路に給水機構の一部を構成したものを示す概略縦断面図。
【図４１】同食器洗浄機の送風路に別の形態の給水機構の一部を構成したものを示す概略縦断面図。（実施の形態４）
【図４２】本発明の実施の形態４の食器洗浄機の排水トラップに排水機構の一部を構成したものを示す正面図。
【図４３】同食器洗浄機の排水トラップに排水機構の一部を構成したものを示す背面図。
【図４４】同食器洗浄機の排水トラップに排水機構の一部を構成したものを表す食器洗浄機後部の概略縦断面図。（実施の形態５）
【図４５】本発明の実施の形態５の食器洗浄機の構成を示す概略縦断面図。
【図４６】同食器洗浄機の正面図。
【図４７】同食器洗浄機の槽開装置のスライドシャフトの動作により洗浄槽が前方側にスライド移動して給水機構と排水機構の切離し直前の状態を示す概略縦断面図。
【図４８】同食器洗浄機の槽開装置のスライドシャフトの動作により洗浄槽が前方側にスライド移動して給水機構と排水機構とが切離された状態を示す概略縦断面図。
【符号の説明】
【０１０５】
１  食器洗浄機、２  食器洗浄機本体、２ａ  前面開口部、３  洗浄槽、３ａ  食器収納口、６  前扉、９  ドア開閉検知装置、１０  食器かご、１３  洗浄ポンプ、１４  湯沸しヒーター、１５  送風機、１７  送風路、１８  制御装置、２０  水位検知装置、２１  水温検知素子、２２  排気口、３１  給水管、３２  給水弁、３２ａ  給水弁出口、３３  給水機構、３４  本体側給水連結具、３５  洗浄槽側給水連結具、３８  給水接続管、５１  排水ポンプ、５２  排水機構、５３  排水管、５４  洗浄槽側排水連結具、５５  本体側排水連結具、５６  排水トラップ、５７  排水接続管、９８  被洗浄物。
【図１】
0004896065.tif 000002
【図２】
0004896065.tif 000003
【図３】
0004896065.tif 000004
【図４】
0004896065.tif 000005
【図５】
0004896065.tif 000006
【図６】
0004896065.tif 000007
【図７】
0004896065.tif 000008
【図８】
0004896065.tif 000009
【図９】
0004896065.tif 000010
【図１０】
0004896065.tif 000011
【図１１】
0004896065.tif 000012
【図１２】
0004896065.tif 000013
【図１３】
0004896065.tif 000014
【図１４】
0004896065.tif 000015
【図１５】
0004896065.tif 000016
【図１６】
0004896065.tif 000017
【図１７】
0004896065.tif 000018
【図１８】
0004896065.tif 000019
【図１９】
0004896065.tif 000020
【図２０】
0004896065.tif 000021
【図２１】
0004896065.tif 000022
【図２２】
0004896065.tif 000023
【図２３】
0004896065.tif 000024
【図２４】
0004896065.tif 000025
【図２５】
0004896065.tif 000026
【図２６】
0004896065.tif 000027
【図２７】
0004896065.tif 000028
【図２８】
0004896065.tif 000029
【図２９】
0004896065.tif 000030
【図３０】
0004896065.tif 000031
【図３１】
0004896065.tif 000032
【図３２】
0004896065.tif 000033
【図３３】
0004896065.tif 000034
【図３４】
0004896065.tif 000035
【図３５】
0004896065.tif 000036
【図３６】
0004896065.tif 000037
【図３７】
0004896065.tif 000038
【図３８】
0004896065.tif 000039
【図３９】
0004896065.tif 000040
【図４０】
0004896065.tif 000041
【図４１】
0004896065.tif 000042
【図４２】
0004896065.tif 000043
【図４３】
0004896065.tif 000044
【図４４】
0004896065.tif 000045
【図４５】
0004896065.tif 000046
【図４６】
0004896065.tif 000047
【図４７】
0004896065.tif 000048
【図４８】
0004896065.tif 000049